(57)【要約】本発明は、１μｍから１００μｍの間の光範囲でレーザ光を生成する波長切り替え可能半導体レーザ（１０）に関し、レーザ（１０）は、外部キャビティ（１１）と、少なくとも以下の構成要素、前記外部キャビティ（１１）の方に面するキャビティ内ファセット（１２１）を備える半導体光増幅器（１２）と、半導体光増幅器（１２）のキャビティ内ファセット（１２１）に配置され、キャビティ内ファセット（１２１）を出たレーザ・ビームを平行化する第１の光学要素（１３）と、透過性波長調節可能干渉フィルタ（１）と、を備え、透過性波長調節可能干渉フィルタ（１）は、ｉ）波長調節可能ファブリ・ペロー・フィルタ（１００）並びに、ｉｉ）第１の平面（１１１）及び第２の平面（１１２）を備えるファブリ・ペロー・エタロン（１１０）、を少なくとも備え、エタロン（１１０）の第１の面（１１１）及び第２の面（１１２）は、互いに相対して面平行に配置され、エタロン・キャビティ（１１３）を画成し、ファブリ・ペロー・エタロン（１１０）及びファブリ・ペロー・フィルタ（１００）は、一列に配置され、干渉フィルタ（１）は、第１の光学要素（１３）とビーム・スプリッタ（１４）との間に配置され、構成要素は、選択レーザ波長を含むレーザ光が、外部キャビティ内で安定して共振できるように配置され、軸上後方反射ビーム・スプリッタ（１４）は、外部キャビティ（１１）の一端に配置される。更に、本発明は、レーザを使用してレーザ波長を選択する方法に関する。【選択図】図５ｂ
2021516446.tif 000002
【特許請求の範囲】
【請求項１】
１μｍから１００μｍの間の光範囲でレーザ光を生成する波長切り替え可能半導体レーザ（１０）であって、
前記レーザ（１０）は、外部キャビティ（１１）と、少なくとも以下の構成要素、
前記外部キャビティ（１１）の方に面するキャビティ内ファセット（１２１）を備える半導体光増幅器（１２）と、
前記半導体光増幅器（１２）の前記キャビティ内ファセット（１２１）に配置され、前記キャビティ内ファセット（１２１）を出たレーザ・ビームを平行化する第１の光学要素（１３）と、
透過性波長調節可能干渉フィルタ（１）と、を備え、
前記透過性波長調節可能干渉フィルタ（１）は、
ｉ）波長調節可能ファブリ・ペロー・フィルタ（１００）並びに、
ｉｉ）第１の平面（１１１）及び第２の平面（１１２）を備えるエタロン（１１０）、を少なくとも備え、
前記エタロン（１１０）の前記第１の面（１１１）及び前記第２の面（１１２）は、互いに相対して面平行に配置され、エタロン・キャビティ（１１３）を画成し、
前記エタロン（１１０）及び前記ファブリ・ペロー・フィルタ（１００）は、一列に配置され、
前記干渉フィルタ（１）は、前記第１の光学要素（１３）と軸上後方反射ビーム・スプリッタ（１４）との間に配置され、
前記構成要素は、選択レーザ波長を含むレーザ光が、前記外部キャビティ内で安定して共振できるように配置される、波長切り替え可能半導体レーザ（１０）において、
前記ビーム・スプリッタ（１４）は、前記外部キャビティ（１１）の一端に配置されることを特徴とする、
波長切り替え可能半導体レーザ（１０）。
【請求項２】
前記ファブリ・ペロー・フィルタ（１００）は、第１の反射平面層（１０３）を備える第１の鏡要素（１０１）と、第２の反射平面層（１０４）を備える第２の鏡要素（１０２）と、第１の作動デバイス（２００）と、を備え、前記第１の鏡要素（１０１）及び／又は前記第２の鏡要素（１０２）は、前記第１の作動デバイス（２００）上に、前記第１の反射層（１０３）及び前記第２の反射層（１０４）が互いに相対して面平行であり、前記反射層（１０３、１０４）がファブリ・ペロー・キャビティ（１０６）を画成するように配置され、前記第１の作動デバイス（２００）は、少なくとも第１の位置及び第２の位置を取るように構成され、前記第１の位置では、前記第１の反射層（１０３）と前記第２の反射層（１０４）との間の距離（３０１）は、前記第２の位置における距離よりも大きいことを特徴とする、請求項１に記載のレーザ。
【請求項３】
前記エタロン・キャビティ（１１３）は、透過性中実基体（１１５）を備えるか又は前記透過性中実基体（１１５）から成り、前記エタロン（１１０）の前記第１の面（１１１）及び前記第２の面（１１２）は、前記基体（１１５）によって構成されるか、又は前記エタロン（１１０）の前記第１の面（１１１）及び／又は前記第２の面（１１２）は、前記基体（１１５）上の反射層（１１４）であることを特徴とする、請求項１又は２に記載のレーザ。
【請求項４】
前記エタロン・キャビティ（１１３）は、ガスを充填されているか又は真空であり、前記エタロン（１１０）の前記第１の面（１１１）と前記第２の面（１１２）との間のエタロン・キャビティ長（３０２）は、調節可能であることを特徴とする、請求項１又は２に記載のレーザ。
【請求項５】
前記ファブリ・ペロー・フィルタ（１００）は、５０よりも大きいフィネスを有することを特徴とする、請求項１から４のいずれか一項に記載のレーザ。
【請求項６】
前記エタロン（１１０）は、前記ファブリ・ペロー・フィルタ（１００）の前記第１の鏡要素（１０１）に含まれ、前記第１の鏡要素（１０１）は、前記エタロン（１１０）の前記透過性基体（１１５）を備え、前記エタロン（１１０）の前記第１の面（１０８、１１４）は、前記第１の鏡要素（１０１）の前記反射層（１０３）であることを特徴とする、請求項２から４のいずれか一項に記載のレーザ。
【請求項７】
前記ファブリ・ペロー・フィルタ（１００）の前記第１の作動デバイス（２００）は、微小電気機械システム（ＭＥＭＳ）（２０１）を備え、前記第１の鏡要素（１０１）及び／又は前記第２の鏡要素（１０２）は、前記第１の鏡要素（１０１）と前記第２の鏡要素（１０２）との間の距離（３０１）を変更するように前記微小電気機械システム（２０１）上に配置されることを特徴とする、請求項１から６のいずれか一項に記載のレーザ。
【請求項８】
前記第１の光学要素（１３）は、前記キャビティ内ファセット（１２１）において、前記第１の光学要素（１３）が、前記キャビティ内ファセット（１２１）を出たレーザ・ビームを平行化するように配置されることを特徴とする、請求項１から７のいずれか一項に記載のレーザ。
【請求項９】
前記ビーム・スプリッタ（１４）は、キャッツアイ後方反射器であり、反射面（１４０Ｒ）及び焦点面（１４０Ｆ）を有する屈折要素（１４０）を備え、前記屈折要素（１４０）は、前記屈折要素（１４０）の前記焦点面（１４０Ｆ）が前記反射面（１４０Ｒ）と少なくとも部分的に一致するように構成されることを特徴とする、請求項１から８のいずれか一項に記載のレーザ。
【請求項１０】
前記第１の光学要素（１３）は、０．５以上の開口数を有する厚い平行化レンズ（１３０）であることを特徴とする、請求項１から９のいずれか一項に記載のレーザ。
【請求項１１】
前記半導体光増幅器（１２）は、量子カスケード・レーザ（ＱＣＬ）を備えることを特徴とする、請求項１から１０のいずれか一項に記載のレーザ。
【請求項１２】
前記ビーム・スプリッタ（１４）は、第１の平凸レンズ（１４１）を備え、前記レンズ（１４１）のキャビティの内側に面する面（１４２）は、凸面外形を有し、前記レンズ（１４１）のキャビティ外側に面する面（１４３）は、平面であり、前記レンズの前記焦点平面（１４０Ｆ）は、前記平面（１４３）と一致することを特徴とする、請求項１から１１のいずれか一項に記載のレーザ。
【請求項１３】
前記ビーム・スプリッタ（１４）は、前記キャビティの外側に面する面（１４４）から放出された光が、前記ビーム・スプリッタ（１４）の外側で平行化又は集束されるように構成され、前記ビーム・スプリッタ（１４）は、第２の平凸レンズ（１４５、１４７）を更に備え、前記第２の平凸レンズ（１４５、１４７）のキャビティの内側に面する平面（１４６、１４８）は、前記第１の平凸レンズ（１４１）の前記平面（１４３）と背中合わせに配置されることを特徴とする、請求項１２に記載のレーザ。
【請求項１４】
前記レーザ（１０）は、前記半導体光増幅器（１２）を電気的に励起する手段を備え、前記励起手段は、５ｎｓから１０００ｎｓのパルス継続時間及び０．１％から６０％の間の負荷周期を伴う短い電気パルスで前記レーザ（１０）を励起する、及び／又は連続波を生成する連続電流、若しくは前記レーザ（１０）のパルス・モード動作を使用して前記レーザを励起するように構成されることを特徴とする、請求項１から１３のいずれか一項に記載のレーザ。
【請求項１５】
請求項１から１４のいずれか一項に記載のレーザ（１０）により帯域外レーザ・モードをフィルタ処理する方法であって、
前記レーザ（１０）は、パルス・モードで動作し、前記半導体光増幅器（１２）の励起力を調節し、これにより、前記エタロン（１１０）の選択伝送（５０１）帯域内に含まれる選択レーザ波長（５００）のみが、前記レーザ（１０）が発振閾値（５０４）を上回って動作する程度まで励起され、
前記エタロン（１１０）の前記選択伝送帯域（５０１）外のレーザ・モード（５０２）、特に、前記選択レーザ波長（５００）から、前記エタロン（１１０）の自由スペクトル領域の整数倍離れたレーザ・モードは、前記発振閾値を下回ったままであるようにし、
前記エタロン（１１０）の前記選択レーザ波長（５００）及び前記選択伝送帯域（５０１）は、前記ファブリ・ペロー・フィルタ（１００）の最大伝送（５０３）が前記選択レーザ波長（５００）に最も近いか又は前記選択レーザ波長（５００）を中心とするように、前記ファブリ・ペロー・フィルタ（１００）を調節することによって選択されることを特徴とする、
方法。
【発明の詳細な説明】
【技術分野】
【０００１】
本発明は、波長調節可能フィルタを備える波長調節可能レーザに関する。更に、本発明は、本発明によるレーザにより帯域外レーザ・モードをフィルタ処理する方法に関する。
【背景技術】
【０００２】
量子カスケード・レーザ（ＱＣＬ）は、１９９４年［１］のその最初の実験的デモンストレーション以来、中赤外（ＭＩＲ）領域において同様の技術的重要性を希求するための主要な候補である。というのは、帯域間ダイオード・レーザは、可視（ＶＩＳ）範囲及び近赤外（ＮＩＲ）範囲内の範囲を有するためである［２］。ＶＩＳ及びＮＩＲは、電気通信及び照明には最も適した範囲をもたらすが、ＭＩＲは、赤外線に対する大気の窓、及び多くの分子に対するいわゆる指紋領域の両方を含み［３］、例えば、様々な健康状態に対する生物指標検出のための、超高感度で手頃なＭＩＲ分光法として見込まれている。
【０００３】
例えば、分布帰還型（ＤＦＢ）ＱＣＬ等の固定波長ＱＣＬは、現況技術で公知である［４］。生物学的事項に関する分光法のような最も複雑なタスクの場合、同調が必要である。他の設計及び概念が追求されているが、外部キャビティ（ｅｘｔｅｒｎａｌ  ｃａｖｉｔｙ、ＥＣ）−ＱＣＬは、現在、広範囲の分光測定を実施するのに最も有望なオプションをもたらしている。
【０００４】
最も一般的なＥＣ−ＱＣＬは、波長選択要素として回折格子、例えば、機械的摂動に対して共振器をかなり高感度にするＬｉｔｔｒｏｗ及びＬｉｔｔｍａｎ−Ｍｅｔｃａｌｆ構成を使用するが［５］、レーザ・チップ間で大きな往復結合損失を伴う。
【０００５】
１つの理由は、数マイクロメートルのＱＣＬの出口ファセットと、数ミリメートルの格子上の照明領域との間の横寸法の極端な差である。必要なビーム拡大により、平行光学系の位置合わせに対して極端に狭い公差が課される。
【０００６】
更に、回折格子が相当にわずかな角分散であるために、回折格子は、同調軸周囲の機械的振動を減少させるために、かなり硬質で正確に制御可能なマウントを必要とする。
【０００７】
更に、回折格子をベースとする設計の構造的な制約のために、レーザ光の脱結合が斜角で生じることが多く、ビームのウォークオフ及び照準に関連する問題をもたらす。このことは、ビーム特性（パワー／波長）をリアルタイムで監視することが望ましい場合に特に問題であり、第２の放出ポート又は軸外ビーム・スプリッタを必要とする。
【０００８】
こうした理由のために、現在のＥＣ−ＱＣＬの用途は、主に、保護された実験室環境に拘束されている。わずか数社の製造業者が、超硬質構造体を採用することによって可搬デバイスを製造しているが［６］、結果として、こうした超硬質構造体は、かさばり、費用がかかり、複雑な光学機械に対する費用削減には多くの可能性を有するものではない。
【０００９】
非格子同調ＥＣ−ＱＣＬ設計には、ベルニエ同調フィルタ・チップのバージョン（Ｂｌｏｃｋ  Ｅｎｇｉｎｅｅｒｉｎｇ、ＵＳ８９０８７２３）、ベルニエ同調二重エタロン熱電気バージョン（Ｒｅｄｓｈｉｆｔ  Ｓｙｓｔｅｍｓ、ＥＰ２７００１３２）、及び角度同調狭フィルタＥＣ−ＱＣＬ（ＥＰ２８４８９６８）を含む。
【００１０】
全てのこれらの設計は、いくつかの技術的課題を有し、（大量生産の場合でさえ）単位あたり高い費用をもたらし、寿命が短い。
【００１１】
角度同調狭フィルタＥＣ−ＱＣＬは、ファブリ・ペロー・フィルタ構成を備えるが、小型化、費用削減及び安定化の可能性がない。というのは、ファブリ・ペロー・フィルタを数十度傾斜させることができる正確な光学機械（ステッパ・モータ、検流計）は、やはり、必然的に大型でかさばるためである。
【００１２】
狭波長帯域を選択する広角度同調可能フィルタは、十分な角度同調には必要である低屈折率材料が相当に高額であるため、製造にかなりの費用がかかる。
【００１３】
ＭＥＭＳ（微小電気機械システム）ファブリ・ペロー・フィルタ等、ファブリ・ペロー・フィルタのキャビティ長の調節によりＭＩＲ半導体レーザの放出波長を同調する微細加工・微細作動ファブリ・ペロー・フィルタの使用等の他の手法は、当技術分野では試みられていない。というのは、使用の妨げになるとみなされるいくつかの要因があるためである。
【００１４】
例えば、４ｍｍのチップ長さ及び３０ｍｍの合計外部キャビティ光学長を有する約９μｍのレーザを放出する典型的なＥＣ−ＱＣＬは、約０．１７ｃｍ−１（１．５ｎｍ）のモード間隔を有する。したがって、妥当なモード弁別には、ＥＣ−ＱＣＬモード間隔の範囲内の帯域幅を有するフィルタを必要とする。
【００１５】
約９μｍでの伝送に最良に利用可能なＭＥＭＳ−ファブリ・ペロー・フィルタは、１２ｃｍ−１（１００ｎｍ）の帯域幅を達成する。したがって、そのようなＭＥＭＳ−ファブリ・ペロー・フィルタは、５０を超えるレーザ・モードを含み、特にパルス電流モードで駆動する際、ＥＣ−ＱＣＬ内で高度に不安定なモード変動が予期される。
【００１６】
更に、ＭＥＭＳ−ファブリ・ペロー・フィルタのフィルタ鏡の間の非理想的な平行度が、動作中でさえ動的に変化するため、伝送ビームが、光軸をウォークオフする傾向がある。ＱＣＬのファセットの直径は数ミクロンにすぎず、そのようなビームのウォークオフは、レーザ操作を終了しない場合、共振レーザ・ビームに対するＱＣＬのファセット結合効率がそのようなビーム変位によって減少するため、損なわれる。
【００１７】
したがって、ＥＣ−ＱＣＬは長年公知であるが、光学的、機械的に安定したレーザ動作を提供できるためには、依然として相当にかさばり、複雑なデバイスである。
【先行技術文献】
【特許文献】
【００１８】
【特許文献１】ＵＳ８９０８７２３
【特許文献２】ＥＰ２７００１３２
【特許文献３】ＥＰ２８４８９６８
【非特許文献】
【００１９】
【非特許文献１】Ｊ．Ｆａｉｓｔ等、Ｑｕａｎｔｕｍ  ｃａｓｃａｄｅ  ｌａｓｅｒ．Ｓｃｉｅｎｃｅ、２６４（５１５８）、５５３：５５６、（１９９４年）
【非特許文献２】Ｃ．Ｇｍａｃｈｌ等、Ｒｅｐ．Ｐｒｏｇ．Ｐｈｙｓ．６４、１５３３（２００１年）
【非特許文献３】Ａ．Ｋｏｓｔｅｒｅｖ等、Ａｐｐｌ．Ｐｈｙｓ．Ｂ９０、１６５（２００８年）
【非特許文献４】Ｊ．Ｆａｉｓｔ等、Ａｐｐｌ．Ｐｈｙｓ．Ｌｅｔｔ．７０、２６７０（１９９７年）
【非特許文献５】Ｘ．Ｂａｉｌｌａｒｄ等、Ｏｐｔ．Ｃｏｍｍｕｎ．２６６、６０９（２００６年）
【非特許文献６】Ｐ．Ｂｕｅｒｋｉ等、「Ｓｗｅｐｔ  ｓｅｎｓｏｒ（ＴＭ）−ａ  ｎｏｖｅｌ  ｐｏｒｔ−ａｂｌｅ  ｂａｔｔｅｒｙ−ｏｐｅｒａｔｅｄ  ｇａｓ  ｓｅｎｓｉｎｇ  ｓｏｌｕｔｉｏｎ」http://www.daylightsolutions.com/assets/003/5245.pdf
【発明の概要】
【発明が解決しようとする課題】
【００２０】
したがって、本発明の目的は、こうした問題を解決するデバイスを提供することである。
【課題を解決するための手段】
【００２１】
本発明に係る問題は、請求項１に記載のレーザ、及び本発明によるレーザの帯域外レーザ・モードをフィルタ処理する、請求項１５に記載の方法によって解決される。
【００２２】
請求項１によれば、特に、１μｍから４０μｍ又は１００μｍの間の範囲内の波長を含むレーザ光を生成し、外部キャビティを有する波長切り替え可能半導体レーザは、少なくとも以下の構成要素、特に外部キャビティの一部であり、外部キャビティの方に面するキャビティ内ファセットを備える半導体光増幅器（ＳＯＡ）と、半導体光増幅器のキャビティ内ファセットに配置され、キャビティ内ファセットを出たレーザ・ビームを平行化する、第１の、特に、屈折又は反射光学要素と、透過性波長調節可能干渉フィルタ（ＩＦ）と、を備え、透過性波長調節可能干渉フィルタは、ｉ．波長調節可能ファブリ・ペロー・フィルタ（ＦＰＦ）及び、ｉｉ．第１の平面及び第２の平面を備えるファブリ・ペロー・エタロン（ＦＰＥ）を少なくとも備え、エタロンの第１の面及び第２の面は、互いに相対して面平行に配置され、エタロン・キャビティを画成し、ファブリ・ペロー・エタロン及びファブリ・ペロー・フィルタは、一列に配置され、干渉フィルタ（ＩＦ）は、第１の光学系とビーム・スプリッタとの間に配置され、構成要素は、選択レーザ波長を含むレーザ光が、外部キャビティ内で安定して共振できるように配置され、軸上後方反射ビーム・スプリッタは、外部キャビティの一端に配置される。
【００２３】
軸上後方反射ビーム・スプリッタは、外部キャビティの端部鏡又は出力カプラとして働くことができる。
【００２４】
本明細書ではもっぱら「エタロン」とも呼ぶファブリ・ペロー・エタロンは、特に、特に固定キャビティ長を有するファブリ・ペロー・フィルタでもある。
【００２５】
したがって、干渉フィルタ（ＩＦ）は、特に、（第１の）ファブリ・ペロー・フィルタ（ＦＰＦ）と、（第２の）ファブリ・ペロー・フィルタ（ＦＰＥ又はエタロン）とを備える。本発明のいくつかの実施形態では、ファブリ・ペロー・フィルタのキャビティ長は、調節可能で、可変である一方で、エタロンのキャビティ長は、固定されている。更に、本発明のいくつかの実施形態によれば、ファブリ・ペロー・フィルタの自由スペクトル領域及び伝送帯域は、エタロンの自由スペクトル領域及び伝送帯域よりも大きく、ファブリ・ペロー・フィルタの伝送帯域は、エタロンの自由スペクトル領域と同様の大きさである。干渉フィルタが伝送する波長は、特に、ファブリ・ペロー・フィルタの低次伝送帯域、例えば、１次帯域、２次帯域又は３次帯域内にあり、エタロンのより高次の帯域、例えば、５次帯域又は１０次帯域以上にある。
【００２６】
用語「波長切り替え」とは、具体的には、ファブリ・ペロー・フィルタの低次伝送帯域中心波長と、エタロンの異なる、より高次の伝送帯域との整合を指す。
【００２７】
こうした特徴を有するレーザは、強固で小型の伝送干渉フィルタを有する小型外部キャビティ・レーザを使用する、強固で波長同調可能なシングルモード・レーザ動作の提供に関する問題を有利に解決する。
【００２８】
この目的で、レーザ構成要素は、以下のように配置できる：半導体光増幅器（ＳＯＡ）、第１の光学要素、波長選択可能干渉フィルタ及び後方反射ビーム・スプリッタは、レーザにおいて、選択可能レーザ波長を含むＳＯＡのキャビティ内ファセットから出現するレーザ・ビームが、キャビティ内ファセットから第１の光学要素及び干渉フィルタを通り、後方反射ビーム・スプリッタに至り、後方反射ビーム・スプリッタから戻って、キャビティ内ファセットに再度入り、半導体光学系に至ることが可能であるように配置される。
【００２９】
ファブリ・ペロー・フィルタは、第１の面と第２の面とを備えることができ、第１の面及び第２の面は、互いに相対して面平行に配置され、ファブリ・ペロー・フィルタ・キャビティを画成する。これらの面は、ファブリ・ペロー・フィルタの鏡要素内に含めることができる。
【００３０】
ファブリ・ペロー・フィルタの第１の面及び第２の面は、特に平面で、特に光学的に平坦であり、ファブリ・ペロー・フィルタの第１の面及び第２の面は、互いに相対して面平行に配置され、ファブリ・ペロー・フィルタの第１の面及び第２の面の表面法線に沿って延在するファブリ・ペロー・フィルタの光学的ファブリ・ペロー・キャビティを形成する。
【００３１】
エタロンの第１の面及び第２の面は、平面で、特に光学的に平坦であり、エタロンの第１の面及び第２の面は、互いに相対して面平行に配置され、エタロンの第１の面及び第２の面の表面法線に沿って延在するエタロンのファブリ・ペロー・キャビティを形成する。
【００３２】
エタロン及びファブリ・ペロー・フィルタのキャビティは、特に、レーザ光を前後に反射させ、当技術分野では周知である多重ビーム干渉を通じて、孤立した伝送通過帯域を達成するように働く。
【００３３】
エタロン及びファブリ・ペロー・フィルタは、特に、互いの前に、特に選択レーザ波長を含む特に平行化光ビームがエタロン及びファブリ・ペロー・フィルタを通過するように配置される。
【００３４】
干渉フィルタ（ＩＦ）は、特に、エタロンとファブリ・ペロー・フィルタとの組合せであり、以下、「波長選択可能干渉フィルタ」とも呼ぶ。
【００３５】
外部キャビティとは、本文脈において、共振器が少なくとも部分的に半導体光増幅器（ＳＯＡ）の外側に置かれる、レーザの特徴を指し、半導体チップ又は活性領域とも呼ばれる。ＳＯＡは、一般に、光がＳＯＡから出ることができる２つのファセットを有する。一方のファセット、即ち、キャビティ内ファセットは、レーザの外部キャビティの内側に面し、もう一方のファセット、即ち、キャビティ外ファセットは、共振器の外側に面する。
【００３６】
キャビティ内ファセットは、特に、反射防止（ＡＲ）コーティングでコーティングされる。
【００３７】
端部鏡は、通常、例えば、９９％を上回る範囲の高い反射率を有し、出力カプラは、低減した−典型的には５％から９０％の範囲の反射率を有する。機能は同じであるが、端部鏡又は出力カプラは、共振レーザ光の少なくとも一部分を後方反射させてキャビティに至らせ、光増幅工程を維持し、キャビティを閉鎖するようにする。
【００３８】
本発明による波長切り替え可能レーザは、かなり小型で小さく構築することができ、特に、唯一の移動構成要素、即ち、ファブリ・ペロー・フィルタの第１の作動デバイスを備える。作動デバイス内でさえ、移動は、特に、例えば０．５μｍから１０μｍの範囲での変位を伴う、静電気による微小位置決めに縮小される。
【００３９】
本発明によるレーザは、特にＭＩＲ範囲で放出する他の波長切り替え可能レーザと比較すると、相当に費用対効果がよく製造できる。というのは、フォトリソグラフィ方法及び深掘り反応性イオン（ＤＲＩＥ）エッチング等、全ての構成要素を従来の微細加工方法で製造できるためである。
【００４０】
今やレーザの小型化が可能であること、及びキャビティ内平行化光学系、即ち、特に、第１の光学要素のビーム拡大が、格子ベースのレーザと比較して低いこととあわせて、レーザの安定性は、設定の整合不良がほぼ不可能である点まで増大し、構造体を物理的に損傷することがない。このことは、機械的構成要素に対して、様々な種類のプラスチック・ポリマー等、かなり軽量でより安価な材料を使用することも可能にする。
【００４１】
キャビティ内のビーム拡大に関し、特に１０λ未満までのビーム拡大は、本発明を使用すると、些末で可能であり、平行化光学系に対するごくわずかなビーム拡大のために、結合損失の低減及びより良好なビームの質をもたらすことに留意されたい。
【００４２】
波長選択可能干渉フィルタ構成要素（ＦＰＦ及びエタロン）は、特に、外部キャビティ内の共振レーザ・ビームに対して、帯域外レーザ光がビーム経路から反射されるような角度で配置される。用語「帯域外」とは、波長選択可能干渉フィルタの狭伝送帯域外側の波長を有する光を指す。干渉フィルタの伝送帯域幅は、エタロンの各伝送帯域幅とほぼ同一であり、実質的に、ファブリ・ペローの伝送帯域幅よりも小さい。
【００４３】
後方反射ビーム・スプリッタの１つの利点は、（完全に平行な反射層を達成することができないため）特にＭＥＭＳファブリ・ペロー・フィルタの非平行鏡要素によるビームのウォークオフが、前記、特に受動的に自己整合する後方反射ビーム・スプリッタを使用することによって無効になる一方で、同時に、例えば監視目的で、レーザの第２の出力ポートをもたらすことである。
【００４４】
ファブリ・ペロー・フィルタ、特にレーザ内に広範な伝送帯域を有するＭＥＭＳ−ＦＰＦの使用を容易にするため、エタロンを外部キャビティ内に統合することは、現況技術において新規である。更に、レーザ内に、エタロンを周波数標準として、及びビーム特性の監視のために使用できるようにエタロンを配置することは新規である。
【００４５】
また、後方反射軸上ビーム・スプリッタの自己整合性は、現況技術で公知である格子及び鏡で終端する外部キャビティの一般的な機械的不安定さをなくすものである。
【００４６】
後方反射ビーム・スプリッタに付随する機械的安定性の増大は、以下の式から導くことができる。湾曲鏡又は後方反射ビーム・スプリッタ等の任意の反射器からＳＯＡファセットに戻る帰還ＦＢの変化は、反射器の角度整合不良の場合、式
2021516446.tif 000003
を有し、反射器の長尺整合不良の場合、
2021516446.tif 000004
を有することがわかっている。上記の式において、αは、角度整合不良であり、δは、長尺整合不良であり、λは、レーザの中心波長であり、ｗは、反射器の反射面上のビームの焦点サイズである（後方反射ビーム・スプリッタがキャッツアイの形態の場合、反射面は後面である）。
2021516446.tif 000005
は、２次微分演算子である。平面又は湾曲鏡を有する典型的な半導体レーザ外部キャビティの場合、焦点サイズｗは、ミリメートル台であり、α＝１ｍｒａｄ＝０．０６°、δ＝１００ｍｍの場合、（λ＝１０μｍの波長で）２０％の帰還損失がもたらされる。キャッツアイの場合、角度変位αと長尺変位δとの間のトレードオフは、好都合に角度変位αの方にずれる。ｗ＝１０μｍという典型的な焦点サイズの場合、α＝１００ｍｒａｄ＝６°及びδ＝１０μｍである。６°の角度整合不良は、外部キャビティの完全性及び後方反射ビーム・スプリッタ、特にキャッツアイに物理的に損傷を与えずに達成するには非現実的に高い値であるため、後方反射ビーム・スプリッタの設定は、レーザ構造体が物理的に損傷を受けていない場合、整合不良に対し完全に安定していると言うことができる。
【００４７】
後方反射ビーム・スプリッタは、基本的に、現況技術のレーザ共振器内で使用される湾曲鏡と比較して、異なる目的の役割を果たすことに留意されたい。湾曲鏡の使用に対する理論、及び共振器の「光学的安定基準」を生じさせる鏡と共振器の長さとの関係は、当技術分野で周知である。しかし、これら周知の光学的安定基準は、機械的安定基準をもたらすには修正を必要とし、また、活性媒質、例えば、ＳＯＡの有限寸法を考慮する必要がある。このことは、外部キャビティ内の半導体レーザの場合（マイクロメータのファセット直径、対ミリメートルの曲率半径）のように、ＳＯＡファセットの寸法が、鏡の曲率半径よりもかなり小さい場合に特に当てはまる。この場合、湾曲鏡は、非平行化ガウス・ビームの湾曲波前面のみを補償する役割を果たし、これにより、前記非平行化ビームの収集角度を増大させる。したがって、（鏡の表面上にある枢動点周囲での）湾曲鏡のわずかな角度整合不良は、平面鏡が平行化ビームを変位させるように、反射ビームを直接的に変位させ、これにより、ＳＯＡファセットへの帰還を低減する。
【００４８】
この結果、湾曲鏡の使用は、１番に、半導体外部キャビティの機械的安定性を増大させるものではない。小さなＳＯＡファセットの場合、湾曲鏡は、湾曲鏡自体の焦点周囲での角度整合不良に対して安定するにすぎない。したがって、現実的な枢動点に対するわずかな修正を達成できるにすぎない。
【００４９】
十分に規定された不変のビーム特性を有する外部キャビティの両端部には、２つの利用可能な軸上出力ポートが−１つはＳＯＡの外部キャビティ・ファセットに、もう１つは後方反射ビーム・スプリッタに−あるため、これらのビームの一方は、レーザ性能をリアルタイムで監視するために使用できる。というのは、２つの出力ポートの放出パワーが固定比率であるためである。
【００５０】
軸上出力ポートの両方が十分に規定された焦点から光を放出すると、光は、容易に赤外光ファイバに結合できる。
【００５１】
軸外ビーム・スプリッタは、損失を必ずもたらし、設定をより大型にし、不安定にするものであるが、監視目的で、この軸外ビーム・スプリッタを使用せずに、両方の出力ポートに対し軸上ビームを利用することは、本発明によるレーザの別の有利な特徴である。
【００５２】
エタロンは、特に、レーザ内で周波数標準としても機能するため、ファブリ・ペロー・フィルタを同調する際にレーザの出力パワー・ピークを計数することによって、レーザを選択レーザ波長に同調できる。したがって、出力レーザ波長は、多大な信頼度で選択できる。
【００５３】
更に、レーザは、パルス・モードでさえ、ＳＯＡと波長選択可能干渉フィルタとを組み合わせることによって、かなり狭いスペクトル線幅並びにかなり高い周波数の正確さ及び繰返し性を達成できる。このことは、特に、放出レーザ波長がエタロンの伝送幅に制限されることによる。典型的には、シングルモード放出でさえ、パルス内にＳＯＡの加熱による波長チャープ、並びに対応する屈折率及び有効光学キャビティ長の変化がある。本発明によるレーザにおいて、チャープがエタロンの伝送ピーク幅を超えると、レーザは、特に、強制的に、伝送内のモードに跳び、こうして、時間平均線幅を効果的に低減させる。
【００５４】
レーザの出力パワーを単に最大化することによって、ファブリ・ペロー・フィルタの伝送は、エタロンのモード、したがって、十分に規定されたレーザ波長を中心とし、タスクを閉ループで実施できる。
【００５５】
したがって、本発明によるレーザは、唯一の監視検出器を使用して閉ループを促進し、同時に、出力及び波長を制御する。
【００５６】
別々に放出した、同じ種類のレーザ波長をデバイス間で再現可能にすることは、外部キャビティの光軸に対し、エタロンの傾斜角を調節することによって達成できる。
【００５７】
本発明の別の実施形態によれば、波長調節可能ファブリ・ペロー・フィルタは、特に、以下の構成要素、ａ）第１の反射平面、特に、光学的に平坦な層を備える第１の鏡要素と、ｂ）第２の反射平面、特に、光学的に平坦な層を備える第２の鏡要素と、ｃ）作動デバイスと、を備え、第１の鏡要素及び／又は第２の鏡要素は、作動デバイス上に、第１の鏡要素の第１の反射層及び第２の鏡要素の第２の反射層が、互いに相対して面平行で、面と向かって配置され、第１の層及び第２の層が、第１の層及び第２の層の表面法線に沿って延在するガス充填又は真空キャビティを形成するように配置され、作動デバイスは、第１の層及び第２の層の表面法線に沿って第１の鏡要素を第２の鏡要素に対して移動させるように構成される。
【００５８】
本発明の一実施形態によれば、エタロンの第１の面と第２の面との間の光学距離は、少なくとも、ファブリ・ペロー・フィルタの第１の層と第２の層との間の光学距離、即ち、ファブリ・ペロー・フィルタの相対的な同調範囲によって除算したファブリ・ペロー・フィルタのキャビティ長と同じくらいの大きさであり、せいぜい、ファブリ・ペロー・フィルタのキャビティ長×キャビティのフィネスと同じ大きさである。このことは、ファブリ・ペロー・フィルタが、少なくとも２つのエタロン伝送帯域のうち１つを選択し、もう一方を十分に拒絶できることを特に保証する。
【００５９】
光学距離とは、特に光路長であり、光路長は、特に、形状距離×前記光路長の屈折率によって与えられる。
【００６０】
エタロンのキャビティ長は、特に、エタロンの第１の面及び第２の面の光学距離と同一である。ファブリ・ペロー・フィルタのキャビティ長は、特に、ファブリ・ペロー・フィルタの第１の面及び第２の面の光学距離と同一である。
【００６１】
ファブリ・ペロー・フィルタが選択する波長は、特に、ＳＯＡが誘導放出を発する波長範囲（利得スペクトル）内にある伝送次数内で、ファブリ・ペロー・フィルタの伝送帯域の中心波長として規定される。波長は、ファブリ・ペロー・フィルタのキャビティ長の調節により、ファブリ・ペロー・フィルタが選択できる。
【００６２】
ファブリ・ペロー・フィルタの絶対同調範囲は、特に、ファブリ・ペロー・フィルタが選択できる最大波長と最小波長との間の差、即ち、ファブリ・ペロー・フィルタの制限波長として規定される。
【００６３】
ファブリ・ペロー・フィルタが選択する制限波長は、特に、作動デバイスの移動距離が決定する、最小及び最大のファブリ・ペロー・キャビティ長によって規定される。
【００６４】
「ファブリ・ペロー・フィルタの中心波長」は、特に、制限波長の算術平均として規定される。
【００６５】
ファブリ・ペロー・フィルタの相対同調範囲は、特に、中心波長によって除算したファブリ・ペロー・フィルタの絶対同調範囲である。例えば２０％の相対同調範囲は、中心波長よりも最大１０％小さい又は大きい全ての波長を含む。
【００６６】
例えば、ファブリ・ペロー・フィルタが中心波長周囲に２０％の相対同調範囲を有する場合、（光学的）エタロン・キャビティ長の下位境界は、ファブリ・ペロー・フィルタ・キャビティ長の５倍であり、（光学的）エタロン・キャビティ長の上位境界は、ファブリ・ペロー・フィルタ・キャビティ長×ファブリ・ペロー・フィルタ・キャビティのフィネスである。このことは、特に、エタロン伝送コームが、ファブリ・ペロー・フィルタの同調範囲内に少なくとも２つの伝送ピークがあるようなものであること、及び前記伝送ピークは、ファブリ・ペロー・フィルタのピーク幅の半分からほど遠く離間していることを保証する（それ以外の場合、ファブリ・ペロー・フィルタは伝送ピーク間を弁別することができない）。
【００６７】
エタロン及びファブリ・ペロー・フィルタは、互いに対する角度を含み得ることに留意されたい。
【００６８】
波長選択可能干渉フィルタ構成要素の組合せ、即ち、ファブリ・ペロー・フィルタ及びエタロンは、特に、キャビティ長に特定の差を有する場合、光に対する波長調節可能フィルタ処理を可能にし、選択レーザ波長で相当にわずかな帯域幅を達成する。
【００６９】
エタロンは、モード・スプレッダ又は周波数標準とも呼ばれる。本明細書の文脈における光とは、特に近赤外、中赤外及び／又は遠赤外波長範囲内、より詳細には、電磁スペクトルのテラヘルツ領域内での電磁波を指す。したがって、光は、人間の目に見える必要はない。
【００７０】
赤外スペクトルは、特に、真空波長１０−３ｍから７．８×１０−７ｍの間の範囲（１ｍｍから７８０ｎｍ）に及び、これは、３×１０１１Ｈｚから約４×１０１４Ｈｚ（３００ＧＨｚから４００ＴＨｚ）の周波数範囲に相当する。
【００７１】
近赤外（ＮＩＲ）領域は、特に、０．７８μｍから３μｍの範囲に及ぶ。
【００７２】
中赤外（ＭＩＲ）領域は、特に、３μｍから５０μｍの範囲に及ぶ。
【００７３】
遠赤外（ＦＩＲ）領域は、特に、５０μｍから１０００μｍの範囲に及ぶ。
【００７４】
２つの干渉フィルタ構成要素、即ち、ファブリ・ペロー・フィルタ及びエタロンは、干渉に基づき効果的にフィルタ処理する一方で、特に、伝送帯域幅及び自由スペクトル領域（ＦＳＲ）等の異なるフィルタ特性を有し、特に、ファブリ・ペロー・フィルタ及びエタロンのキャビティ長は異なる。
【００７５】
それぞれのフィルタ構成要素の伝送ピーク幅及び自由スペクトル領域は、とりわけ、それぞれのフィルタ構成要素のキャビティ長によって規定される。
【００７６】
しかし、ファブリ・ペロー・フィルタ及びエタロンの表面の反射率等の他の要因も、上述のフィルタ特性に影響を与える。
【００７７】
作動デバイスは、第１の鏡要素及び／又は第２の鏡要素を移動させるように構成されるため、第１の層及び第２の層は、共に近づかせるか、又は互いから遠ざけることができる。したがって、作動デバイスは、少なくとも２つの異なる位置、即ち、第１の位置及び第２の位置を取るように構成される。作動デバイスは、複数の位置、特に、連続する複数の位置を取るように構成することができ、特に、ファブリ・ペロー・フィルタの連続する複数のキャビティ長を達成できるようにする。このキャビティ長のファブリ・ペロー・フィルタは、ガス、特に空気を充填されるか、又は真空にする。
【００７８】
ファブリ・ペロー・フィルタのキャビティ長は、特に、第１の鏡要素の第１の反射層と第２の鏡要素の第２の反射層との間の距離に対応する。
【００７９】
用語「反射」とは、それぞれの構成要素が、少なくとも、特に、選択レーザ波長、即ち、伝送のために選択した波長を含む波長範囲内で反射性である性質を指す。
【００８０】
更に、本明細書及び特許請求の範囲において、ある屈折率を有する材料から、異なる屈折率を有する材料まで通過する光が生じさせる反射を弁別できる。この反射をフレネル反射と呼ぶ。フレネル反射は、例えば、光が構成要素から出る又は構成要素に入る際に−空気界面であれ、表面真空界面であれ−構成要素の全ての表面上で生じる。明示的に述べていない場合であっても、そのような表面は反射性とみなされる。
【００８１】
一方、反射は、物質自体の特性に基づき達成できる。例えば、反射は、専用の反射向上薄膜コーティング構造によって増大させることができる。表面反射の向上は、いわゆる分散ブラッグ反射器（ＤＢＲ）によっても達成することができ、分散ブラッグ反射器（ＤＢＲ）は、高屈折率材料及び低屈折率材料の一対又は複数対の薄膜を備え、一対又は複数対の薄膜は、所望の波長範囲で透過性であり、適切な厚さ及び積層順序を有する。
【００８２】
代替的に、表面反射率を向上させるため、サブ波長構造格子を使用することもできる。
【００８３】
反射向上コーティング又は構造とは対照的に、反射防止（ＡＲ）コーティングは、フレネル反射を低減するために特に設計される。ＡＲコーティングは、増透コーティングとも呼ばれる。ＡＲコーティングを有する表面は、特に５％よりも低い、より詳細には４％よりも低い反射率を呈する。
【００８４】
したがって、エタロンの表面は、ＡＲコーティングがエタロンの機能を損なうため、特にＡＲコーティングを有さない。
【００８５】
用語「反射率変更」とは、表面反射率を増大又は低減させる、表面上に配置した層又は構造を指す。
【００８６】
用語「透過性」（及び用語「反射性」）は、選択レーザ波長に関連すると理解されたい。即ち、「透過性」とは、それぞれのスペクトル領域において透過性である性質を指す。したがって、用語「透過性」は、電磁気スペクトルの可視領域を特に指すものではなく、特に、近赤外、中赤外から遠赤外領域、及びテラヘルツ領域までも指す。
【００８７】
用語「光学的に平坦」とは、λ／４以上の光学平坦度を含む材料の性質を指し、λは、選択レーザ波長である。
【００８８】
用語「高開口数」とは、０．５よりも大きい、特に、０．７以上の、レンズ等の光学要素の開口数を指す。開口数は、特に、光学要素の開放絞りによって形成される円錐半角の正弦及び光軸上のその焦点を、周囲媒質の屈折率、空気又は真空の場合はｎ＝１で乗算したものである。したがって、開口数は、焦点に高いビーム広がりを有する点状源が放出した光に対する、レンズの収集効率の尺度である。
【００８９】
ファブリ・ペロー・フィルタの第１の反射層及び第２の反射層は、層構造体からなるか又は層構造体を備えることができる。
【００９０】
ファブリ・ペロー・フィルタの第１の反射層及び第２の反射層は、反射向上コーティングからなるか又は反射向上コーティングを備えることができる。鏡要素は、特に、透過性、特に光学的に平坦な基体を備え、基体上に前記反射層が配置される。反射層は、周知のフォトリソグラフィ技法、膜蒸着、及びウエハ接合を使用して、基体上にコーティングできる。
【００９１】
第１の鏡要素及び／又は第２の鏡要素の基体は、特に、表面法線に沿って０．１ｍｍを超えて、それぞれの反射層を延在させ、特に、コーティングに引き起こされる応力にもかかわらず、反射層に必要な光学的平坦さを実現、保証する。
【００９２】
第１の鏡要素及び／又は第２の鏡要素の基体は、反射層の反対表面上にＡＲコーティングを備えることができる。
【００９３】
本発明による波長選択可能干渉フィルタは、入射光が波長選択可能干渉フィルタを通過する際にフィルタ処理されるような伝送構成で動作する。したがって、反射回折格子等の反射フィルタとは対照的に、本発明による波長選択可能干渉フィルタは、透過性フィルタである。
【００９４】
本発明による波長選択可能干渉フィルタは、レーザ波長のデジタル同調を可能にする。用語「デジタル」とは、波長選択可能干渉フィルタを調節し、離散的な非連続波長のセットに含まれるレーザ波長を実現できることを指す。
【００９５】
間隔、即ち、前記セット内に含まれる波長の間の自由スペクトル領域は、波長切り替え可能レーザが分光法等の多くの用途に適しているように、相当に狭くてよい。
【００９６】
更に、いくつかの実施形態で扱うように、個別の波長セットを、あるオフセット波長だけ本質的にずらすことによって、レーザ波長を個別の波長間で任意の波長に調節することが可能であり、この結果、波長選択可能干渉フィルタの本質的に連続的な同調が達成される。
【００９７】
エタロンは、特に、少なくともフレネル反射のために反射性である２つの表面を備えるファブリ・ペロー干渉計である。ファブリ・ペロー・フィルタのように、エタロンは、干渉に基づく光学的フィルタ処理をもたらす。
【００９８】
本発明の一実施形態によれば、エタロン・キャビティは、透過性、特に光学的に平坦な、中実基体を備えるか又はこの中実基体から成り、エタロンの第１の面及び第２の面は、基体によって構成されるか、又はエタロンの第１の面及び／又は第２の面は、基体上の反射層である。
【００９９】
エタロンの反射層の上部に保護層を提供することは、有利であり得る。この保護層は、反射層がエタロン上の最外層ではないにもかかわらず、エタロンの表面とみなすことができない。
【０１００】
エタロンの表面は、特に、フレネル反射を呈する。
【０１０１】
本実施形態の利点は、エタロンが、波長選択可能干渉フィルタの、強固な、特に非移動部品であることである。エタロン基体表面の間の光学距離、即ち、エタロン基体の光学的厚さは、エタロンのキャビティ長に対応する一方で、基体は、エタロン・キャビティである。光学距離は、光路、即ち、特に、光線が横断する物理的距離に媒質の屈折率を乗算したものに対応する。
【０１０２】
熱膨張を除き、エタロン・キャビティ長は、固定されており、したがって、波長選択可能干渉フィルタの特性は、ファブリ・ペロー・フィルタの同調低下に対して強固である。
【０１０３】
更に、エタロンの波長の同調及び／又は安定化は、エタロン温度を調節又は制御することによって達成できる。
【０１０４】
本発明の別の実施形態によれば、エタロンの基体は、中赤外スペクトル内、特に、３μｍから２０μｍ、より詳細には、９μｍから１２μｍの間の波長領域で透過性であり、特に、シリコン、ゲルマニウム、ＺｎＳｅ、ＧａＡｓ、ＩｎＰ又はカルコゲナイド・ガラスを含むか又はこれらからなる。
【０１０５】
この実施形態により、エタロンに対する、中赤外範囲での費用対効果のよい実装を可能にする。
【０１０６】
本発明の代替形態によれば、エタロン・キャビティは、ガス充填、特に、空気充填されるか、又は真空であり、エタロンの第１の面と第２の面との間のエタロン・キャビティ長は、特に第２の作動デバイスによって調節可能である。
【０１０７】
本実施形態によれば、エタロンは、あるレーザ波長に機械的に同調可能である。このことにより、波長選択可能干渉フィルタの連続的な波長同調を可能にする。同調可能なエタロンは、第２のファブリ・ペロー・フィルタとみなすことができる。
【０１０８】
更に、第２の作動デバイスは、第１の作動デバイスと同じ種類の、同一又は同様のものであってよい。
【０１０９】
本発明の別の実施形態によれば、エタロン・キャビティは、５ｍｍ未満、特に、１ｍｍ未満、特に、０．４ｍｍ未満、より詳細には、０．１ｍｍ未満の長さを有する。
【０１１０】
これらのキャビティ長により、エタロンの相当に狭い伝送ピーク幅を可能にし、波長選択可能干渉フィルタに狭伝送ピークをもたらす。
【０１１１】
本発明の別の実施形態によれば、エタロン及びファブリ・ペロー・フィルタは、特に３μｍから２０μｍの間、より詳細には８μｍから１２μｍの間の選択レーザ波長を含む入射光ビームに対し、エタロンの自由スペクトル領域が、ファブリ・ペロー・フィルタの自由スペクトル領域の少なくとも５分の１、特に、１０分の１、より詳細には、１００分の１であるように配置され、エタロンの選択レーザ波長の伝送帯域の全幅半値は、ファブリ・ペロー・フィルタの伝送帯域の全幅半値の少なくとも５分の１、特に、１０分の１、より詳細には、１００分の１である。
【０１１２】
本発明の別の実施形態によれば、ファブリ・ペロー・フィルタは、５０よりも大きい、特に７０よりも大きい、より詳細には、１００よりも大きいフィネスを有する。
【０１１３】
自由スペクトル領域ＦＳＲ又はΔλ、即ち、（ファブリ・ペロー・フィルタ及びエタロンのための）ファブリ・ペロー干渉計の伝送ピーク間の間隔は、
2021516446.tif 000006
として規定され、伝送ピーク幅δλは、いわゆるフィネスＦ：
2021516446.tif 000007
によって自由スペクトル領域Δλに関連付けられ、式中、λ０は、最も近い伝送ピークの中心波長であり、ｎは、屈折率であり、ｌは、キャビティ長である。
【０１１４】
本実施形態は、エタロン特性を、ファブリ・ペロー・フィルタとの組合せにおいて、従来の干渉フィルタと比較して有利な干渉フィルタを可能にする範囲に制限するものである。
【０１１５】
本発明の別の実施形態によれば、ファブリ・ペロー・フィルタは、５５％よりも大きい、特に７０％よりも大きい、より詳細には、８５％よりも大きいピーク伝送を有する。
【０１１６】
本実施形態は、特に良好な伝送特性を有するフィルタを構成する。
【０１１７】
本発明の別の実施形態によれば、エタロンの表面及びファブリ・ペロー・フィルタの反射面のそれぞれは、互いに平行である。
【０１１８】
この文脈において、平行とは、ファブリ・ペロー・フィルタとエタロンとの間に展開される光路を指し、したがって、ファブリ・ペロー・フィルタとエタロンとの間の折返し鏡は、表面を非平行化するものとはみなされない。というのは、展開される光路は、表面を平行化するためである。
【０１１９】
本発明の別の実施形態によれば、エタロンは、特に、ファブリ・ペロー・フィルタの第１の鏡要素に一体に含まれ、第１の鏡要素は、エタロンの透過性基体を備え、エタロンの第１の面は、第１の鏡要素の反射層である。
【０１２０】
本実施形態は、波長選択可能干渉フィルタのより小型な統合を可能にするため、特に有利である。
【０１２１】
エタロンが第１の鏡要素に含まれるため、波長選択可能干渉フィルタは、個別要素をあまり備えない。このことにより、より安定した干渉フィルタをもたらす。
【０１２２】
同様に、エタロンは、代替的に、第２の鏡要素に含んでよい。
【０１２３】
本発明の別の実施形態によれば、第１の鏡要素は、特に、ファブリ・ペロー・フィルタ・キャビティから離れて面する第２の面を備え、第１の鏡要素の第２の面は、エタロンの第２の面であり、前記第２の面は、特に、ＡＲコーティングされず、前記第２の面は、特に、反射向上層又は反射向上構造でコーティングされる。
【０１２４】
そのようなフィルタは、個別要素をあまり有さず、したがって、より安定する。
【０１２５】
同様に、本実施形態は、代替的に、第２の鏡要素内でも同様に実現できる。
【０１２６】
特に、エタロンの第１の面及び第２の面が、第１の鏡要素内に含まれる場合、代替的に、前記実施形態を以下のように構築することが可能である。
【０１２７】
本発明の別の実施形態によれば、第１の鏡要素の第１の反射層は、エタロン基体の第１の反射層表面又は第２の反射層表面である。
【０１２８】
本発明の代替実施形態によれば、エタロン及びファブリ・ペロー・フィルタは、波長選択可能干渉フィルタの２つの独立構成要素である。
【０１２９】
このモジュール式実施形態は、例えば、ファブリ・ペロー・フィルタをエタロンとは個別に向けることができるため、有利である。特に、エタロンをファブリ・ペロー・フィルタとは異なる角度で傾斜させることが可能であり、これにより、波長選択可能干渉フィルタのより正確な較正又は同調を可能にする。
【０１３０】
本発明の別の実施形態によれば、ファブリ・ペロー・フィルタの第１の作動デバイスは、微小電気機械システム（ＭＥＭＳ）を備え、第１の鏡要素及び／又は第２の鏡要素は、第１の鏡要素と第２の鏡要素との間の距離を変更するように微小電気機械システム上に配置される。
【０１３１】
本実施形態は、ＭＥＭＳ−ファブリ・ペロー・フィルタの作製が相当に費用対効果がよい方法であるため、特に有利である。したがって、ＭＥＭＳ−ファブリ・ペロー・フィルタを組み込んだ干渉フィルタは、例えば、他の同調可能格子ベースのフィルタほど高額ではない。
【０１３２】
ＭＥＭＳデバイスは、良好に制御可能であり、安定している。したがって、ＭＥＭＳ−ファブリ・ペロー・フィルタは、正確に同調できる。即ち、第１の反射層と第２の反射層との間の距離は、特に５０ｎｍより良好な、高い精度で調節できる。
【０１３３】
更に、ＭＥＭＳ−ファブリ・ペロー・フィルタは、格子ベースのフィルタよりも小さく、したがって、フィルタ全体をより小さく構築できる。ＭＥＭＳは、非常に強固でもある。
【０１３４】
本発明の別の実施形態によれば、エタロンの第２の作動デバイスは、微小電気機械システム（ＭＥＭＳ）を備え、エタロンの第１の面及び／又は第２の面は、第１の面と第２の面との間の距離を変更するように微小電気機械システム上に配置される。
【０１３５】
本発明の別の実施形態によれば、第１の作動デバイス及び／又は第２の作動デバイスは、静電的に微細作動する、特に、微細加工された作動器を備える。そのような作動器は、例えば、ＭＥＭＳであり、前記作動器は、ＭＥＭＳに印加し得る電界に基づきファブリ・ペロー・フィルタの鏡要素（複数可）又はエタロンの表面（複数可）を作動する。
【０１３６】
本発明の別の実施形態によれば、第１の作動デバイス及び／又は第２の作動デバイスは、複数の個々に動作可能な対の作動電極を備え、ファブリ・ペロー・フィルタの反射面の向き及び／又はエタロンの表面の向きを制御する。
【０１３７】
このことは、エタロンの表面の相対的な向き、及びファブリ・ペロー・フィルタの反射層の相対的な向きは、かなり正確に制御すべきであり、これにより波長選択可能干渉フィルタの質を決定するため、特に有利である。
【０１３８】
対の作動電極を使用すると、このタスクが達成される。
【０１３９】
本発明の別の実施形態によれば、ファブリ・ペロー・フィルタは、特に、第１の鏡要素及び／又は第２の鏡要素上に個別の電極を有し、反射層のｘ−距離及びｙ−距離を調節し、傾斜の補償を可能にする。このことは、静電容量式距離測定、及び能動的な電子距離調節を使用して、閉ループ傾斜補償によって促進できる。
【０１４０】
本発明の別の実施形態によれば、第１の作動デバイス及び／又は第２の作動デバイスは、磁気的に作動する、特に、微細加工された作動器を備える。
【０１４１】
作動が誘導磁界に基づく作動器も、波長選択可能干渉フィルタに適した作動をもたらし得る。
【０１４２】
本発明の別の実施形態によれば、第１の作動デバイスは、第１の鏡要素が、特に固定した第２の鏡要素に対して移動可能であるか、若しくは第２の鏡要素が、特に固定した第１の鏡要素に対して移動可能であるように構成されるか、又は第１の鏡要素及び第２の鏡要素は、移動可能であり、第１の鏡要素及び第２の鏡要素は、特に、同一の質量及び懸架具を有する。
【０１４３】
同様又は同一の質量という後者の特徴は、外部の加速度、及び重力等の力を補償するのに有用である。
【０１４４】
用語「移動可能」とは、本文脈において、反射層の間の距離を変更するための鏡要素の平行移動を指す。しかし、平行な層構成を得て、維持するために第１の反射層及び第２の反射層の相対的な向きを調節する等、回転性の移動もこの概念に含まれる。
【０１４５】
本発明の別の実施形態によれば、第２の作動デバイスは、エタロンの第１の面が、特に固定した第２の面に対して移動可能であるか、若しくは第２の面が、特に固定したエタロンの第１の面に対して移動可能であるように構成されるか、又は第１の面及び第２の面は、移動可能であり、第１の面及び第２の面は、特に、同一の質量及び懸架具を有し、特に、外部の加速度、及び重力等の力を補償するようにする。
【０１４６】
本実施形態は、ガス充填又は真空のエタロン・キャビティの背景においてのみであることは理解されよう。
【０１４７】
本実施形態の利点は、表面の間の距離の調節が、各用途に対してふさわしい実施形態を発見できるように、様々な様式で達成できることである。同じことは、以前の実施形態で開示した、鏡要素が様々に移動可能である実施形態にも当てはまる。
【０１４８】
本発明の別の実施形態によれば、第１の光学要素は、キャビティ内ファセットにおいて、第１の光学要素が、キャビティ内ファセットから出たレーザ・ビームを平行化するように配置される。
【０１４９】
本発明の別の実施形態によれば、レーザは、温度安定化手段、特に、加熱又は冷却要素を備え、前記手段は、エタロンの温度を安定化できるように、レーザ内に配置される。
【０１５０】
本発明によるレーザにより、全てが微細加工された半導体構成要素の使用を可能にし、この構成要素は、ほぼ任意の小型化と共に、かなり高い機械及びスペクトルの安定性を有し、偶発的な共振器の損失はかなり低い（即ち、外部キャビティ結合が高い）。
【０１５１】
更に、本発明によるレーザは、以下の相乗効果から利益を得る。安定性及び結合効率のために使用されるビーム・スプリッタは、透過性干渉フィルタと組み合わせて使用するように構成される。透過性干渉フィルタは、ビーム・スプリッタからの強化した結合と組み合わせると、最良の性能をもたらす（というのは、例えば、散乱又は吸収によるやむを得ない接続中のフィルタ損失は、２回通過のために２倍になるためである）。
【０１５２】
本発明の別の実施形態によれば、ビーム・スプリッタは、キャッツアイ後方反射器であり、反射面及び焦点面を有する屈折光学要素を備え、屈折光学要素は、屈折要素の焦点面が少なくとも部分的に、特に光軸上で反射面と一致するように構成される。
【０１５３】
キャッツアイ・ビーム・スプリッタは、自己整合する受動的後方反射ビーム・スプリッタの全ての特徴をもたらす一方で、低い構造複雑さしか呈さない。キャッツアイ・ビーム・スプリッタは、モノリシック・デバイスとすることができる。
【０１５４】
ビーム・スプリッタの側のレーザ出力ポートは、放出したレーザ光を容易に処理するのに良好に規定された焦点をもたらす。例えば、特に、ファイバ結合デバイス以外の更なる構成要素を伴わずに、放出光をファイバに結合することが可能である。
【０１５５】
出力ポートの１つが反射面の側にあるため、後方反射ビーム・スプリッタの反射面は、特に、１００％未満、より詳細には、９５％未満、より詳細には、８０％未満、より詳細には、２０％以上の反射率を呈する。
【０１５６】
本発明の別の実施形態によれば、第１の光学要素は、厚い、特に０．５よりも大きい高開口数の平行化レンズであり、レンズは、特に、非球面平凸レンズであり、レンズは、特に、２ｍｍ以下の開放絞りを有する。
【０１５７】
本発明の別の実施形態によれば、ＳＯＡは、量子カスケード・レーザ（ＱＣＬ）である。
【０１５８】
本発明の別の実施形態によれば、ＳＯＡは、（帯域間）ダイオード・レーザである。
【０１５９】
本発明の別の実施形態によれば、ＳＯＡは、量子井戸レーザである。
【０１６０】
本発明の別の実施形態によれば、ＳＯＡは、帯域間カスケード・レーザである。
【０１６１】
本発明の別の実施形態によれば、ＳＯＡは、量子ドット・レーザである。
【０１６２】
本発明の別の実施形態によれば、ＳＯＡは、垂直キャビティ面発光レーザ（ＶＣＳＥＬ）である。
【０１６３】
本発明の別の実施形態によれば、レーザは、ＮＩＲ範囲内で放出するように構成される。
【０１６４】
本発明の別の実施形態によれば、レーザは、ＭＩＲ範囲内で放出するように構成される。
【０１６５】
本発明の別の実施形態によれば、レーザは、ＦＩＲ範囲内で放出するように構成される。
【０１６６】
本発明の別の実施形態によれば、レーザは、ＴＨｚ範囲内で放出するように構成される。
【０１６７】
本発明によるレーザは、ＳＯＡがＱＣＬである場合、ＭＩＲ内で特に良好に機能する。
【０１６８】
ＱＣＬは、ビーム・スプリッタに面する出力ファセット（キャビティ内ファセット）を有し、前記ファセットは、特に、増透コーティング構造でコーティングされる。ＱＣＬのもう一方のファセット（キャビティ外ファセット）は、反射変更コーティング、特に、キャビティ外ファセットを部分的に、特に２０％から７０％の範囲、更には最大１００％で反射性のままにするコーティングを有する。
【０１６９】
本発明の別の実施形態によれば、レーザは、パルス・モードで動作するように構成される。このことは、有利には、ＳＯＡ上の熱負荷（加熱）がｃｗ動作よりも少ないことを伴い、レーザを同調する際のモード膠着状態を防止し、高パルス・パワー及び低平均電力を可能にし、このことは、繊細なサンプルの照明又は光音響測定の際に特に有利である。
【０１７０】
レーザは、特に、ＳＯＡのパルス励起手段を備える。
【０１７１】
本発明の別の実施形態によれば、ＳＯＡは、外部レーザ・キャビティの外側に面するキャビティ外ファセットを有し、特に、キャビティ外ファセットの前面には、レンズ等の平行化又は集束光学系が配置され、特に、キャビティ外ファセットは、反射コーティング又は増透コーティングを備える。
【０１７２】
本発明の別の実施形態によれば、レーザは、光ファイバ、特に、ＭＩＲ範囲用光ファイバを備え、前記ファイバは、後方反射ビーム・スプリッタに面する出力ポートに結合され、特に、平行化、集束レンズは、ビーム・スプリッタとファイバとの間に配置される、即ち、屈折要素は、ビーム・スプリッタとファイバとの間に配置されない（突き合わせ結合される）。
【０１７３】
本発明の別の実施形態によれば、レーザは、光ファイバ、特に、ＭＩＲ領域用光ファイバを備え、前記ファイバは、ＳＯＡのキャビティ外ファセットに面する出力ポートに結合され、特に、平行化、集束レンズは、キャビティ外ファセットとファイバとの間に配置される、即ち、屈折要素は、キャビティ外ファセットとファイバとの間に配置されない（突き合わせ結合される）。
【０１７４】
本発明の別の実施形態によれば、ファイバ結合デバイスは、キャビティ外ファセット又はビーム・スプリッタに配置され、ファイバをレーザに取り付けできるようにする。
【０１７５】
本発明の別の実施形態によれば、キャビティ外ファセットに配置されるビーム・スプリッタ又は平行化レンズは、平行化出力ビームが、出力ポートで３ｍｍよりも小さいビーム・ウエスト径を有するように構成され、このウエスト径は、特に、１／ｅ２のビーム強度によって規定される。
【０１７６】
本発明の別の実施形態によれば、レーザは、特にＭＩＲ範囲用の、ビーム・スプリッタの出力ポートに結合された光検出器又はパワー・メータを備える。
【０１７７】
本発明の別の実施形態によれば、レーザは、特にＭＩＲ範囲用の、キャビティ外ファセットの出力ポートに結合された光検出器又はパワー・メータを備える。
【０１７８】
本発明の別の実施形態によれば、波長選択可能干渉フィルタの開口部の直径は、選択レーザ波長の２０００分の１である。
【０１７９】
測定したレーザの出力パワーは、リアルタイムで処理し、レーザにフィードバックし、ファブリ・ペロー・フィルタのキャビティ長及び／又はＳＯＡの励起電流及び／又はレーザの冷却電流を閉ループで調節し、レーザ放出を安定化するようにする。出力ポートの目的は、かなり明らかに、交換できる。
【０１８０】
本発明の別の実施形態によれば、エタロン表面の表面法線及び／又はファブリ・ペロー・フィルタの反射層は、レーザのキャビティの光軸に対してある角度で配置され、前記角度は、特に、０．５°より大きく、６０°よりも小さい。
【０１８１】
この実施形態は、外部キャビティ内の寄生レーザ光の低減を可能にする。
【０１８２】
エタロンは、光軸に対して傾斜可能であることが特に可能である。
【０１８３】
本発明の別の実施形態によれば、レーザの外部キャビティ長は、２０ｍｍ未満であり、特に、１０ｍｍ未満であり、より詳細には、８ｍｍ未満である。
【０１８４】
本実施形態は、小型レーザを可能にする。キャビティ長は、特に、レーザ光が１回通過する間のキャビティの光学的長さである。
【０１８５】
本発明の別の実施形態によれば、ビーム・スプリッタは、第１の平凸、特に、厚いレンズを備え、レンズのキャビティの内側に面する面、即ち、キャビティの内側を向く面、したがって、波長選択可能干渉フィルタの方を向く面は、凸形、特に非球面外形を有し、レンズのキャビティの外側に面する面は、平面であり、特に、キャビティの外側に面する面の法線は、レンズの凸面の回転軸に平行であるか又はこれと一致し、レンズの焦点平面は、少なくともレンズの光軸で平面上にあり、この平面は、特に、反射層でコーティングされ、凸面は、特に、増透層でコーティングされる。
【０１８６】
このビーム・スプリッタは、軸上後方反射入射光を有利で強固な様式で可能にする。
【０１８７】
本発明の別の実施形態によれば、ビーム・スプリッタは、キャビティの外側に面するビーム・スプリッタの表面から放出された光がビーム・スプリッタの外側で平行化又は集束されるように構成され、ビーム・スプリッタは、特に、本発明の以前の実施形態による第１の凸レンズを備え、特に、ビーム・スプリッタは、第２の平凸レンズを更に備え、第２の平凸レンズの平面のキャビティの内側に面する面は、第１の平凸レンズの平面と背中合わせに、特に接触して配置され、特に、第１の平凸レンズ及び第２の平凸レンズは、同軸に配置され、第２の平凸レンズの凸形のキャビティの外側に面する面は、特に、非球面である、及び／又は増透層でコーティングされ、ビーム・スプリッタが、放出光を平行化するように構成した場合、特に、第２の平凸レンズの焦点平面は、少なくともレンズの光軸で、第２の平凸レンズの平面上にあり、ビーム・スプリッタが、放出光を集束するように構成された場合、第２のレンズの焦点平面は、特に、第２の凸レンズの内側にあり、第２の凸レンズの平面に面平行である。
【０１８８】
本実施形態は、ビーム・スプリッタにおける出力ポート外側での焦点の生成、及び前記出力ポートでの光の平行化を可能にする。
【０１８９】
本発明の別の実施形態によれば、レーザは、ＳＯＡを電気的に励起する手段を備え、励起手段は、５ｎｓから１０００ｎｓのパルス継続時間及び０．１％から６０％の間の負荷周期を伴う短い電気パルスでレーザを励起する、及び／又は連続波を生成する連続、特に変調電流、若しくはレーザのパルス・モード動作を使用してレーザを励起するように構成される。
【０１９０】
本発明の別の実施形態によれば、ＳＯＡファセットの少なくとも１つ、即ち、キャビティ内ファセット又はキャビティ外ファセットは、特に単層又は多層薄膜構造体から作製した反射変更光学コーティングを有する。
【０１９１】
本発明の別の実施形態によれば、ＳＯＡは、ＳＯＡの中心波長の±３％超、特に、±５％超、より詳細には、±１０％超に及ぶスペクトル利得領域を有する。
【０１９２】
波長選択可能干渉フィルタの中心波長と同一である必要はないＳＯＡの中心波長は、利得スペクトルの上限と下限との算術平均、即ち、外部キャビティ構成内の同調範囲である。利得スペクトルは、ＳＯＡの活性領域内の電子遷移の遷移エネルギーによって与えられ、遷移エネルギーは、光子によって誘導され、更なる光子を生成し、これにより、利得を光子にもたらす。
【０１９３】
本発明の別の実施形態によれば、ＳＯＡは、波長４．１μｍ、４．６μｍ、５．７μｍ、８μｍ、９μｍ、１０μｍ、１１μｍ及び／又は１２μｍを含むスペクトル利得領域を有し、特に、前記波長は、特に、中心波長である。
【０１９４】
本発明の別の実施形態によれば、ＳＯＡは、ＴＨｚ領域を含むスペクトル利得領域を有する。
【０１９５】
本発明の別の実施形態によれば、ＳＯＡは、以下の構成要素：２つの出力ファセット、即ち、キャビティ内ファセット及びキャビティ外ファセット、導波路系、電流路、基体のうち少なくとも１つを備える。
【０１９６】
２つの出力ファセットは、特に、特にＳＯＡの長尺延在部、特にＳＯＡの活性領域に対して直交に配置される平面を有する。
【０１９７】
別の実施形態では、出力ファセットの少なくとも１つは、ＳＯＡ導波路に対して傾斜させることができ、ＳＯＡ導波路は、ファセットの表面法線であり、ＳＯＡ導波路の軸は、非ゼロ角度を形成する。この構成は、増透がファセットで必要である場合、特に有利である。傾斜ファセットは、性能を強化するように増透（ＡＲ−）コーティングと組み合わせることができる。１つのファセットの傾斜は、典型的には、当技術分野で公知のＪ型導波路で達成され、２つのファセットの傾斜は、Ｓ型導波路で達成される。Ｊ型導波路は、シングル・アングル・ファセット（ＳＡＦ）として当技術分野で公知であり、Ｓ型導波路は、ダブル・アングル・ファセット（ＤＡＦ）又は２アングル・ファセット（ＴＡＦ）として公知である。
【０１９８】
量子井戸積層半導体構造の周囲に形成された導波路系は、特に、光学的に伝導性である活性層、及び光学的に伝導性である不活性材料内に埋め込まれた不活性層から構成される。電流路は、特に、電流を通すことができる直列電気回路を形成するように構成した複数の導電性要素を備える。前記基体は、特に、整合結晶構造を有するバルク結晶材料層であるか、又は前記量子井戸積層半導体に対してひずみを有するバルク結晶材料層であり、前記量子井戸積層は、基体の結晶格子定数を整合する平均結晶格子定数を有するように、ひずみに対して補償される。ひずみを補償する方法は、当技術分野において周知であり、ＱＣＬの性能に対して利点を有し得る。
【０１９９】
本発明の別の実施形態によれば、少なくとも１つの帰還要素は、利得媒質と統合される。
【０２００】
前記帰還要素は、特に、利得媒質と周囲の媒質（真空又はガス）との間のフレネル反射を特徴とする。
【０２０１】
代替的に、本発明によるレーザは、波長選択可能干渉フィルタを備えるレーザと同じ構成要素を備えるが、波長選択可能干渉フィルタは、調節可能ファブリ・ペロー・フィルタのみと取り替えられるという差がある。本発明によるレーザのこの代替実施形態は、特に外部キャビティと、少なくとも以下の構成要素、
特に外部キャビティの一部であり、外部キャビティの方を向くキャビティ内ファセットを備える半導体光増幅器（ＳＯＡ）と、
半導体光増幅器のキャビティ内ファセットに配置された、キャビティ内ファセットから出たレーザ・ビームを平行化する、第１の、特に、屈折又は反射光学要素と、
少なくとも１つの波長調節可能ファブリ・ペロー・フィルタ（ＦＰＦ）を備える透過性波長調節可能干渉フィルタ（ＩＦ）と、を有し、
干渉フィルタは、第１の光学要素とビーム・スプリッタとの間に配置され、構成要素は、選択レーザ波長を含むレーザ光が、外部キャビティ内で安定して共振できるように配置され、軸上後方反射ビーム・スプリッタは、外部キャビティの一端に配置され、ファブリ・ペロー・フィルタは、特に、ＭＥＭＳファブリ・ペロー・フィルタである。
【０２０２】
エタロンを備えるレーザの全ての以前の実施形態は、実施形態がエタロンを備えない限り、この代替レーザ構成に適用できることに留意されたい。全ての定義及び利点は、同様に適用される。
【０２０３】
本発明に係る問題は、本発明によるレーザを備える赤外分光計によって更に解決され、赤外分光計は、特に、吸光、散乱光、伝送光又は反射光を検出する手段、光音響検出器、光検出器、焦電検出器又はボロメータ等を備える。
【０２０４】
更に、本発明に係る問題は、本発明によるレーザにより帯域外レーザ・モードをフィルタ処理する方法によって解決され、レーザは、パルス・モード又は連続波モード（ｃｗ）で動作し、ＳＯＡの励起力は、干渉フィルタ伝送ピークの全幅半値内に含まれる波長帯域内のレーザ・モードのみが、レーザが発振閾値を上回って動作し、選択エタロン伝送帯域外の全てのレーザ・モード、特に、選択レーザ波長から、エタロンの自由スペクトル領域の整数倍離間するレーザ・モードが発振閾値を依然として下回る程度まで励起されるように調節され（即ち、エタロンの伝送帯域は、ファブリ・ペロー・フィルタによって選択される）、ファブリ・ペロー・フィルタは、特に、ファブリ・ペロー・フィルタ伝送の中心波長及び前記エタロン伝送ピークの中心波長が、特に２％以内で同一であるように同調される。
【０２０５】
この方法は、特に、エタロンを備える、本発明によるレーザのために設計される。
【０２０６】
この方法は、単色、特に、シングルモードのパルス・レーザ出力を可能にし、レーザは、依然として波長切り替え可能である。
【０２０７】
本発明に係る問題は、本発明によるレーザによりレーザ波長を調節する方法によって更に解決され、方法は、
ａ）選択レーザ波長を含む入射光ビームに対して予め規定した角度の下、エタロン及びファブリ・ペロー・フィルタを配置するステップと、
ｂ）選択波長がファブリ・ペロー・フィルタを通って伝送されるように、ファブリ・ペロー・フィルタ・キャビティの距離を調節するステップと、
ｃ）波長選択可能干渉フィルタの伝送光の強度を決定するステップと、
ｄ）伝送光の強度を最大化するように、ファブリ・ペロー・フィルタのキャビティ長を変更するステップと
を含む。
【０２０８】
別の実施形態によれば、方法は、特に、エタロンを加熱することによって、エタロンの光学キャビティ長を変更するステップと、選択レーザ波長を調節するため、方法のステップｂ）及びｃ）を実施するステップと、を更に含む。
【０２０９】
本発明の更なる特徴及び利点は、図面を参照しながら、実施形態の詳細な説明により説明する。
【図面の簡単な説明】
【０２１０】
【図１ａ】第１の作動デバイスを有するファブリ・ペロー・フィルタの図である。
【図１ｂ】第１の作動デバイスを有するファブリ・ペロー・フィルタの図である。
【図１ｃ】第１の作動デバイスを有するファブリ・ペロー・フィルタの図である。
【図１ｄ】第１の作動デバイスを有するファブリ・ペロー・フィルタの図である。
【図２ａ】本発明による、エタロン及びファブリ・ペロー・フィルタを備えるレーザの波長選択可能干渉フィルタの図である。
【図２ｂ】本発明による、エタロン及びファブリ・ペロー・フィルタを備えるレーザの波長選択可能干渉フィルタの図である。
【図３ａ】波長選択可能干渉フィルタの伝送スペクトルのグラフである。
【図３ｂ】波長選択可能干渉フィルタの伝送スペクトルのグラフである。
【図４】波長選択可能干渉フィルタのモノリシック・バージョンの図である。
【図５ａ】本発明によるレーザの図である。
【図５ｂ】本発明によるレーザの図である。
【図６ａ】ファイバと検出器とを突き合わせ結合したレーザの一実施形態の図である。
【図６ｂ】ファイバと検出器とを突き合わせ結合したレーザの一実施形態の図である。
【図７ａ】ファイバと検出器とを逆にした図６のレーザの一実施形態の図である。
【図７ｂ】ファイバと検出器とを逆にした図６のレーザの一実施形態の図である。
【図８ａ】更なる結合光学系を有する、図７のレーザの一実施形態の図である。
【図８ｂ】更なる結合光学系を有する、図７のレーザの一実施形態の図である。
【図９ａ】自由空間結合光学系を有する、図５のレーザの一実施形態の図である。
【図９ｂ】自由空間結合光学系を有する、図５のレーザの一実施形態の図である。
【図１０ａ】後方反射ビーム・スプリッタの実施形態の図である。
【図１０ｂ】後方反射ビーム・スプリッタの実施形態の図である。
【図１０ｃ】後方反射ビーム・スプリッタの実施形態の図である。
【図１０ｄ】後方反射ビーム・スプリッタの実施形態の図である。
【図１０ｅ】後方反射ビーム・スプリッタの実施形態の図である。
【発明を実施するための形態】
【０２１１】
図１は、本発明による波長選択可能干渉フィルタ１の一部であるファブリ・ペロー・フィルタ１００を示す。図１ａは、ファブリ・ペロー・フィルタ１００の上面図を示し、図１ｂは、等角図を示し、図１ｃは、断面図を示す。図１ｄは、鏡要素１０１及び１０２の対称懸架具を有するファブリ・ペロー・フィルタ１００の断面図を示す。
【０２１２】
ファブリ・ペロー・フィルタ１００は、小型の、微細加工された、好ましくは静電的に同調された、中赤外ファブリ・ペロー型帯域干渉フィルタ１００であり、シリコン又はゲルマニウム等の適切なＭＩＲ透過性基体１０７上に第１の高反射層１０３を有する第１の鏡要素１０１と、第２の高反射層１０４を有する第２の鏡要素１０２とを備え、第１の鏡要素１０１及び第２の鏡要素１０２は、互いに対向し、ガス充填間隙又は真空間隙（キャビティ）１０６は、第１の鏡要素１０１と第２の鏡要素１０２との間にあり、間隙１０６は、第１の作動デバイス２００によって０．１μｍから１０μｍまでの範囲の距離３０１に調節できる。
【０２１３】
用語「高反射」とは、特に、９８％よりも大きい反射率を指す。
【０２１４】
反射層１０３、１０４は、物理蒸着（ＰＶＤ）若しくは化学蒸着（ＣＶＤ）、又は適切な事前処理若しくは後処理、例えば、熱焼鈍若しくは化学的焼鈍、プラズマ酸化及び研磨等による、当技術分野で公知のあらゆる他の適切な技法を使用して堆積できる。
【０２１５】
ファブリ・ペロー・フィルタ１００は、２つの光学的に平坦な基体１０７から作製することができ、基体１０７は、フォトリソグラフィ技法、薄膜蒸着、及びその後、ウエハ接合を使用して構成、コーティングされる。
【０２１６】
少なくとも１つの、特に、両方の鏡要素１０１及び１０２は、反射層１０３、１０４の表面法線１１６に平行な方向で移動可能である。
【０２１７】
鏡要素１０１、１０２は、懸架具２０２に取り付けられ、懸架具２０２は、基体材料１０７から微細加工した中実撓み接合部として設計されている。代替的に、懸架具２０２は、圧電性結晶、磁力又は静電力を含む作動手段を含むことが可能である。
【０２１８】
本実施形態は、反射層１０３、１０４に隣接する対の電極パネル又はリング２０３及び２０４を用いる静電力による作動に基づく。
【０２１９】
代替的に（図示せず）、反射層の間隔を複数の点で個々に制御し、相対的な傾斜（面平行からの相対的な偏り）を低減する個々に動作可能な対の作動電極は、第１の鏡要素及び／又は第２の鏡要素に配置される。
【０２２０】
距離３０１（ファブリ・ペロー・フィルタ１００のキャビティ長）は、静電容量式に測定され、１回限りの較正若しくは繰り返しの較正を通じて、又はリアルタイムの較正で調節でき、閉ループでの位置決めを可能にする。
【０２２１】
ファブリ・ペロー・フィルタ１００の可動部品の最小変位及び最大変位は、機械式ストッパ２０５の使用により制限され、反射面の衝突をもたらし得る大きな作動電圧における電極の機械的衝撃及びプルイン現象に対して構成要素を保護する。
【０２２２】
別の実施形態によれば、２つの可動鏡要素は、例えば、ほぼ同一の質量及び懸架具により対称的に設計され、特に、加速度及び重力等の外力に対する間隔を補償する。図１ｄを参照。
【０２２３】
懸架具は、平行運動のみを可能にする押出成形した平行四辺形体（図示せず）として設計できる。
【０２２４】
鏡要素１０１及び１０２は、１０マイクロメートルよりも厚く、それぞれの反射層１０３、１０４に対するコーティング応力による湾曲を効果的に低減する。
【０２２５】
ファブリ・ペロー・キャビティ１０６の外側に面する鏡要素１０１及び１０２の表面１０８及び１０９は、増透光学薄膜コーティング構造によりコーティングされる。
【０２２６】
代替的に、ブルースター角での波長選択可能干渉フィルタの物理的サブ波長構造化又は実装等、他の増透手段を使用できる。
【０２２７】
ファブリ・ペロー・フィルタ１００の開口部は、１０ｍｍ２未満、特に、４ｍｍ２未満である。
【０２２８】
ファブリ・ペロー・フィルタ１００構造全体は、１０ｍｍ×１０ｍｍ×１ｍｍ未満である。
【０２２９】
図２ａは、本発明によるフィルタを示し、ファブリ・ペロー・フィルタ１００及びエタロン１１０は、波長選択可能干渉フィルタ１に含まれる個別の構成要素である。
【０２３０】
ファブリ・ペロー・フィルタの基体１０７及びエタロンの基体１１５は、シリコン製である。エタロン１１０は、２つの面平行面１１１、１１２を有し、２つの面平行面１１１、１１２は、ＭＩＲ範囲用反射向上層１１４でコーティングされるか、又はフレネル反射を呈するように空のままにしておく。
【０２３１】
エタロンの表面１１１、１１２は、ファブリ・ペロー・フィルタ１００の第１の反射層１０３及び第２の反射層１０４とも平行であるか、又は非ゼロ角度で取り付けられる。
【０２３２】
ファブリ・ペロー・フィルタ１００は、ＭＥＭＳ２０１上に配置される第１の鏡要素１０１と第２の鏡要素１０２とを備える。第１の鏡要素１０１は、第１の反射層１０３を備え、第２の鏡要素１０２は、第２の反射層１０４を備え、第１の反射層１０３及び第２の反射層１０４は、互いに面平行である。
【０２３３】
鏡要素１０１、１０２の裏側１０８、１０９は、ＡＲコーティングされている。
【０２３４】
入射光ビームに対し、反射層１０３、１０４及び表面１１１、１１２は、これらの表面法線に対して数度だけ傾斜する。
【０２３５】
エタロン１１０とファブリ・ペロー・フィルタ１００との間には、間隙がある。
【０２３６】
ファブリ・ペロー・フィルタ１００のキャビティ長３０１は、ＭＥＭＳ２０１によって調節することができ、エタロンのキャビティ長３０２は、固定されている。
【０２３７】
図２ｂは、本発明によるフィルタの別の実施形態を示し、ファブリ・ペロー・フィルタ１００及びエタロン１１０は、波長選択可能干渉フィルタ１に含まれる個別の構成要素である。
【０２３８】
ファブリ・ペロー・フィルタ１００のキャビティ長３０１及びエタロン１１０のキャビティ長３０２は、ＭＥＭＳによって調節できる。
【０２３９】
図３ａは、２つの異なる位置（実線及び破線）に同調した、エタロン（点線）及びファブリ・ペロー・フィルタの典型的な伝送特性を示す。
【０２４０】
図３ｂは、本発明による外部キャビティに挿入した際の、波長選択可能干渉フィルタの伝送、即ち、ファブリ・ペロー・フィルタ１００とエタロン１１０との複合伝送を示し、複合伝送は、波長選択可能干渉フィルタを２回通過する間の、ファブリ・ペロー・フィルタの２つの異なる波長設定に関する、ファブリ・ペロー・フィルタの伝送特性とエタロンの伝送特性との積である。図示の状況は、ファブリ・ペロー・フィルタが、全ての他の伝送ピークを遮断する一方で、第１の設定（破線）の１１１１ｃｍ−１、及び第２の設定の１１４８ｃｍ−１のエタロンの伝送ピークをどのように選択するかを示す。
【０２４１】
図３ｂは、波長選択可能干渉フィルタを通る伝送全体が、どのように帯域幅を有するかを示し、波長選択可能干渉フィルタの帯域幅は、各エタロンの伝送ピークの帯域幅に等しく、ファブリ・ペロー伝送の帯域幅よりもかなり小さい。エタロン１１０の隣接する伝送ピークに対する抑制５０２（横モード抑制）は、エタロン１１０のＦＳＲの増大、及びファブリ・ペロー・フィルタ帯域幅の減少と共に増大する。横モードに対する抑制５０２は、波長選択可能干渉フィルタ１の通過数と共にも増大する。
【０２４２】
本発明のいくつかの実施形態では、ＳＯＡは、抑制横モード５０２の共振器の損失が、横モードの発振（レーザ作用）を維持しないようにする程度まで励起される一方で、選択伝送ピーク５０１は、発振閾値（レーザ作用）を上回る。したがって、レーザの放出は、ファブリ・ペロー・フィルタ１００が選択したエタロン１１０の伝送ピーク５０１に制限される。
【０２４３】
ファブリ・ペロー・フィルタ１００のキャビティ長３０１を調節することによって、レーザ波長をエタロン１１０の別の伝送ピークにデジタルに同調できる（例えば、図３を参照）。
【０２４４】
図４ａでは、本発明によるフィルタ１を示し、エタロン１１０は、ファブリ・ペロー・フィルタ１００の一体部分である。
【０２４５】
ファブリ・ペロー・フィルタ１００の第１の鏡要素１０１は、反射第１の層１０３（１１１）と、面平行な反射第２の層１０８（１１２）とを有し、反射第１の層１０３（１１１）及び面平行な反射第２の層１０８（１１２）は両方とも高反射性である。第１の反射層１０３（１１１）は、空気キャビティ内側の光反射をエタロン・キャビティ内側の反射に位相整合する手段を含む。
【０２４６】
第１の鏡要素１０１（１１０）の基体１０７（１１５）は、透過性であり、１０μｍから１０００μｍの間の厚さを有する。このように、第１の鏡要素１０１は、エタロン１１０が備える全ての特性を備え、括弧内の番号で示される。したがって、第１の鏡要素１０１は、エタロン１１０を備えるか又はエタロン１１０である。
【０２４７】
本実施形態は、エタロン１１０とファブリ・ペロー・フィルタ１００との整合不良に対して特に強固である。しかし、温度安定化は、わずかにより複雑である。
【０２４８】
エタロン１１０の伝送モード間隔は、数ｃｍ−１である。したがって、モードは、ファブリ・ペロー・フィルタ１００がそのキャビティ長３０１に対して達成する精度によって十分に弁別可能である。
【０２４９】
（温度制御された）エタロン１１０は、ファブリ・ペロー・フィルタ１００が選択し、数ｃｍ−１で離間するいくつかの狭い十分に規定された放出モードまで許容共振周波数を広げる。このことにより、より少ないデジタル同調モードを可能にする明瞭な費用で、ビームの質及び波長精度を改善し、電子的及び計算的な処理を促進する。
【０２５０】
図５から図９は、本発明によるレーザ１０の様々な実施形態を示す。図５ａから図９ａは、レーザ１０を上面図で示し、図５ｂから図９ｂは、レーザ１０を等角図で示す。
【０２５１】
レーザ１０は、ＱＣＬ等のＭＩＲ領域用ＳＯＡ１２を備える。
【０２５２】
ＳＯＡ１２は、高熱伝導率サブマウント２上にエピアップ（ｅｐｉ−ｓｉｄｅ  ｕｐ）又はエピダウン（ｅｐｉ−ｓｉｄｅ  ｄｏｗｎ）ではんだ付けされ、高熱伝導率サブマウント２は、特に、アルミニウム窒化物、ＡＩＮ又は同様の高熱伝導率材料から作製される。サブマウント２は、基礎構造体３上に組み付けられる。基礎構造体３は、金めっき研磨銅等、高熱伝導率で熱接触可能な材料から作製される。良好な熱接触は、高熱伝導率の接着剤、はんだ、サーマル・ペースト等の使用を通じて保証される。基礎構造体３は、同時に、全ての光学構成要素が確実に固定される小型高剛性機械式構造体として働き、並びにその高熱伝導率及び高熱質量のために熱拡散器及びヒートシンクとして働く、２つの機能を有する。
【０２５３】
基礎構造体３は、熱電気冷却器（ＴＥＣ）４上に組み付けられ、熱電気冷却器（ＴＥＣ）４は、筐体構造体（図示せず）の内側と熱接触できる。
【０２５４】
熱電気冷却器４は、適切に置かれた温度センサ及び制御電子機器と共に、レーザ１０及び光学構成要素の温度を室温（又はあらゆる他の周囲温度）付近で安定化するように構成される。
【０２５５】
レーザ１０は、超小型筐体（図示せず）内に組み込み可能であり、超小型筐体は、密閉封止され、キャビティ内の吸収を抑制するように不活性ガス、空気又は真空を含むか、又はレーザをより低い温度まで冷却する場合、光学系のいずれかに対する水蒸気凝縮物を含む。筐体全体は、極端なケースにおいて、同調及び冷却に必要な構成要素全てを含めて、６ｍｍ×６ｍｍ×６ｍｍよりも小さい寸法で作製し得ることが本発明の特定の特徴である。
【０２５６】
ＳＯＡ１２は、パルス・モードで駆動する際、比較的わずかな熱負荷を表し、設定温度と周囲温度との間の温度差はわずかであるため、冷却水又はファンによる外部の意図的な熱除去は、もはや使用せず、熱除去は、筐体（図示せず）の本体を通じて受動的に実施できる。
【０２５７】
ＳＯＡ１２は、制御器電子機器（図示せず）を使用して、好ましくは５ｎｓ〜１０００ｎｓという短いパルス継続時間で電気的に接触、励起され、モードを「膠着させる」ことなく高速波長切り替え機能を保証する。パルス・モード動作は、わずかな電力消費及び高レーザ発振効率を更に保証する。というのは、パルス・モードにおける動作温度は、ヒートシンク温度にほぼ等しいためである。このこと以外に、パルス・モード動作は、より広い同調範囲を与える。
【０２５８】
ＳＯＡ１２は、２つの放出ファセット、即ち、キャビティ外ファセット１２２及びキャビティ内ファセット１２１を有する。キャビティ外ファセット１２２は、放出に有利な（２％から１００％の範囲の）任意の反射率を有し、この反射率は、適切な光学コーティングを通じて、又は約２８％の劈開結晶フレネル反射率の使用を通じて達成される。反射率がより高いと、キャビティ外ファセット１２２を通じてもたらされるレーザ共振器損失はより低いが、レーザ放出もより低くなる。
【０２５９】
キャビティ内ファセット１２１は、低い反射率を有し、この低い反射率は、キャビティ内ファセット１２１の適切な反射防止コーティングを通じて達成される。
【０２６０】
キャビティ外ファセット１２２は、レーザ共振器の第１の端部鏡（反射器）である。
【０２６１】
伝送光は、キャビティ外ファセット１２２が光の波長と同等の寸法を有するため、キャビティ外ファセット１２２を通じて単一の十分に規定された焦点から共振器を離れる。このことにより、平行化、ファイバ結合又は再集束等の更なる処理を容易にする。出た光は、１次ビーム（例えば図７又は図８を参照）又は検出器５の方に向けられる２次ビーム（例えば図６を参照）のいずれかとすることが可能である。２次出力が不要であり、後方反射器を１次出力ポートとして選択する場合、キャビティ外ファセットを高反射コーティングでコーティングできる。
【０２６２】
キャビティ内ファセット１２１から放出された光は、厚い非球面平凸平行化レンズ１３０を使用して平行化される。レンズ１３０の集束力は、レンズの厚さ、及びシリコン等の高屈折率材料のために低減する。高屈折率材料は、製造及び整合公差を増大させる一方で、平行化ビームのビーム幅を最小化する。レンズ１３０は、ＡＲコーティングをレンズの平面１３１上に有し、レンズの凸面１３２上にＡＲコーティングを有する。
【０２６３】
レンズ１３０の後、ファブリ・ペロー・フィルタ１００を外部キャビティ１１内に配置し、ファブリ・ペロー・フィルタ１００の反射層の表面法線は、外部キャビティ１１の光軸３００に対してある角度にある。波長選択可能干渉フィルタの通過帯域内の波長は伝送される一方で、帯域外波長は、レーザ共振器から鏡面反射される。
【０２６４】
ファブリ・ペロー・フィルタ１００の次に、エタロン１１０が配置される。エタロン１１０が伝送するビームの波長範囲は、狭伝送ピークに制限される一方で、全ての他の波長は、鏡面反射される。当然、ファブリ・ペロー・フィルタ１００及びエタロン１１０の配置順序は、逆にできる。
【０２６５】
エタロン１１０の厚さは、単一伝送ピークのみが波長選択可能干渉フィルタの伝送最大値の近くにあるように選択される一方で、全ての他の伝送ピークは、強く抑制され、波長選択可能干渉フィルタ１に対し単一の非常に狭い伝送線がもたらされる。
【０２６６】
外部キャビティ１１の終端において、軸上後方反射ビーム・スプリッタ１４が配置される。ビーム・スプリッタ１４は、凸面１４２を有し、凸面１４２は、衝突光をビーム・スプリッタ１４の焦点平面１４０Ｆ上の平面１４３上に集束するように構成される。凸面１４２は、ＡＲコーティングでコーティングされる一方で、平面１４３は、反射率増大コーティング、又はフレネル反射率の非コーティング面を有する高反射率のための媒質を有する。
【０２６７】
衝突光の一部は、外部キャビティ１１を完結するビーム・スプリッタ１４の反射面１４３、１４０Ｒによって反射される。反射部分は、平行に、軸上で衝突ビームの方向に沿って反射されるため、レーザ設計は、整合不良に対してそれほど影響を受けない。
【０２６８】
衝突光の別の部分は、ビーム・スプリッタ１４によって伝送され、狭帯域レーザ光として、好ましくはシングル・レーザ・モードで外部キャビティ１１を離れる。伝送光は、ビーム・スプリッタ１４の平面１４３上の単一の十分に規定された焦点から外部キャビティ１１を離れる。更なる構成要素は、平行化（例えば図９を参照）、ファイバ結合（例えば図６を参照）、検出（例えば図７を参照）、又は再集束（例えば図８を参照）等の更なる処理を促進するように、ビーム・スプリッタ１４の平面１４３に配置できる。伝送光は、１次レーザ・ビーム（例えば図５、図６若しくは図９を参照）、又は監視目的で検出器５の方に向けられる２次レーザ・ビーム（例えば図７若しくは図８を参照）のいずれかが可能である。２次出力が不要であり、外部キャビティ・ファセットを１次出力ポートとして選択する場合、ビーム・スプリッタを高反射コーティングでコーティングできる。
【０２６９】
ビーム・スプリッタ１４は、カルコゲナイド・ガラス、ＺｎＳｅ、Ｓｉ、Ｇｅ、ＧａＡｓ、ＩｎＰ等の高屈折率材料から作製されるが、やはり、製造公差を低減する。ビーム・スプリッタ１４の高屈折率は、（機械的な衝撃による意図的でない整合不良を通じて、又は操作中動的に）入口角が変動する状態にもかかわらず、焦点が非常にわずかにしか移動せず、これにより、赤外ファイバ等、後続の静止光学系への結合を強めるという利点も有する。
【０２７０】
したがって、本発明の特定の利点は、レーザ１０に結合されるファイバ６のコア直径は、典型的な直径が１００μｍから１０００μｍの間の範囲で十分に大きく選択した場合、ファイバ６への光の結合は、動的なキャビティ内整合不良にかかわらず一定であり、大いに簡略化された初期の整合を可能にする。
【０２７１】
いくつかの用途は、温度の安定を必要とする波長精度は求めないことを明示的に指摘する。エタロン１１０の熱光学係数が小さいため、温度の安定がない場合でさえ、高度の波長精度を達成できる。この場合、熱電冷却器４、熱センサ及びＴＥＣ制御電子機器を省くことができ、更にデバイスの複雑さを低減する。
【０２７２】
レンズ１３０、ファブリ・ペロー・フィルタ１００、エタロン１１０及びビーム・スプリッタ１４は、ＵＶ硬化接着剤を使用して所定の位置に固定できる。基礎構造体３の十分に狭い製造公差を仮定すると、設計は、整合にあまり影響を受けないことが明示的に指摘され、光学的構成要素は、マイクロポジショナを使用する正確な整合を必要とせず、１つの例外は、キャビティ内ファセット１２１とレンズ１３０との間の距離であり、この距離は、レーザ１０からの放出パワーを最大化することによって所定の位置に容易に摺動できる。
【０２７３】
図６ａ及び図６ｂは、レーザ１０の出力ポートの両方を使用する本発明の一実施形態を示し、両方の出力ポートが十分に規定された焦点に集束されることを示す。レーザ１０に加え、図６ａ及び図６ｂにおいて、ファイバ６は、後方反射ビーム・スプリッタ１４の焦点に直接突き合わせ結合されている。もう一方の出力ポート上には、赤外検出器５が外部キャビティ・ファセット１２２の前に直接配置されている。ファイバ６は、ＳＭＡコネクタを使用して取り付けられる。
【０２７４】
図７ａ及び図７ｂは、図６ａ及び図６ｂによるものと同様の本発明の一実施形態を示し、ファイバ６及び検出器５の場所が交換されていることが異なる。このことは、キャビティ外ファセット１２２及びビーム・スプリッタ１４の平面１４３の反射率の調節を仮定すると、レーザ１０の１次出力ポート及び２次出力ポートを交換し得ることを強調する。２つのファイバをレーザに結合し、それぞれのファイバを各出力ポート（図示せず）に結合することも可能である。
【０２７５】
図８ａ及び図８ｂは、再集束光学系１８及び１４７、１５５を使用する、本発明の別の実施形態を示す。レンズ１８は、キャビティ外ファセット１２２からファイバ６に放出されたビームを再集束させる。このことは、ファイバ・ポート２０の正確な調節が可能ではない場合、極薄ファイバへの結合を増大させるのに有利である。この場合、レンズ１８は、マイクロポジショナを使用して整合し、設定の間、更なる自由度を可能にする所定の位置に固定できる。レンズ１８は、平行化レンズ１３０と同様又は同一であってよい。
【０２７６】
再集束光学系１４７、１５５は、ビーム・スプリッタ１４の図６ｅに対応する実施形態、及び図１０ｃに対応する実施形態、及び図１０ｅに対応する実施形態で説明する。再集束光学系１４７、１５５は、検出器ポート２１が正確な調節を可能にしない場合、検出器領域を完全に照明するように調節できる。
【０２７７】
明らかに、ファイバ６及び検出器５は、交換できる。再集束光学系１４７、１５５が厚いレンズである場合、この厚いレンズは、平行化レンズ１３０と同様又は同一であり得る。
【０２７８】
要約すると、図６から図８の実施形態は、半導体レーザ内で見いだされる典型的なサイズを複雑に最適利用する。ＳＯＡキャビティ内ファセット１２１に対する集束は、軸上後方反射ビーム・スプリッタ１４を通じて安定化する一方で、ファイバ６に対する集束は、安定化させる必要はない。というのは、ファイバは、典型的には、ビーム・スプリッタ１４又はキャビティ外ファセット１２２それぞれの焦点よりも１５〜１５０倍大きい直径を有するためである。特に、小型キャビティ内光学系を使用すると、典型的には約３００μｍ〜１０００μｍのファイバ６の直径は、比較的大きくなり、ファイバの結合を取るに足らないものにする。
【０２７９】
図９ａ及び図９ｂは、平行化光学系２２及び１４５、１５０を使用する、本発明の一実施形態を示す。
【０２８０】
レンズ２２は、キャビティ外ファセット１２２から放出されたビームを平行化する。レンズ２２は、平行化レンズ１３０と同様又は同一であり得る。
【０２８１】
平行化光学系１４５、１５０は、ビーム・スプリッタ１４の図１０ｄに対応する実施形態、及び図１０ｂに対応する実施形態で説明する。平行化光学系１４５、１５０が厚いレンズである場合、このレンズは、平行化レンズ１３０と同様又は同一であり得る。
【０２８２】
かなり明らかであるが、出力ポートのいずれかから出た結合光の全ての異なる組合せが本発明によって意図される。
【０２８３】
以下、図５から図９に示すレーザ構成要素の更なる詳細を詳述する。
【０２８４】
ＱＣＬは、約５μｍから５０μｍの幅の狭い線形縞の「隆起部」から形成され、これらの隆起部は、光学的に不活性であるが導電性の半導体基板にエッチングされる。活性領域は、約２μｍから１０μｍの高さである。ＳＯＡ１２は、典型的には０．２ｍｍから１０ｍｍの長さの間の１つ又は複数のそのような隆起部を備え、ＱＣＬは、劈開又はエッチング面で終端し、表面法線に平行であるか、又は隆起部と表面法線との間に、特に有利に反射を低減する角度を有する。活性領域の体積部と劈開又はエッチング結晶平面との交点である領域を、ＱＣＬの「ファセット」１２１、１２２と呼ぶ。ファセット１２１、１２２の部分的な（フレネル）反射率により、内部に発生した光を活性領域を通じて共振させ、この活性領域は、光を閉じ込める導波路として働く一方で、光の一部は、放出レーザ光の形態でファセットを通じて連続的に失われる。
【０２８５】
ＳＯＡをＱＣＬから生成するには、内部共振を抑制すべきである。このことは、例えばＡＲコーティングによりファセットの少なくとも１つの反射を低減し、レーザ発振閾値を下回って活性領域を励起させることによって行われる。
【０２８６】
光は、寸法が放出光の波長と同等であるか又はそれよりも小さい寸法のファセット１２１、１２２を通じてＳＯＡ１２の活性領域を出るため、放出光は、最大約９０°の高速発散軸内の開き角でかなり発散する。
【０２８７】
ＳＯＡ１２は、光学的に励起できるが、本例示的実施形態では、ＳＯＡ１２は、５ｎｓ〜１０００ｎｓ継続時間の短いパルス、及び約０．１％〜６０％の負荷周期で電気的に励起されるか、ＣＷ（持続波）動作として公知の連続ＤＣ電流を使用する。ＣＷ動作は、ＣＷ動作に重畳されるあらゆる変調を有し得る（明らかに、かなり短いオンオフ・パルスによる変調は、パルス・モードと呼ばれ、ＣＷとは呼ばない）。
【０２８８】
ＳＯＡ１２は、短パルスの間、平均パワー数μＷから数Ｗまで、又は数Ｗから数十Ｗまでの出力光パワーを有し得る。
【０２８９】
第１の光学要素１３／平行化レンズ１３０
平行化レンズ１３０は、小型の厚い高開口数の非球面平凸レンズ１３０であり、赤外透過性材料（Ｓｉ、Ｇｅ、カルコゲナイド・ガラス、ＺｎＳｅ、ＺｎＳ等）から作製され、平面側１３１上に短い焦点距離を有する。
【０２９０】
平行化レンズ１３０は、同じ曲率の薄いレンズと比較して屈折力を低減するという利点を有し、これにより、製造及び整合公差を増大させる。
【０２９１】
平行化レンズ１３０は、高開口数を有し、ＳＯＡ１２のキャビティ内ファセット１２１から放出された光の大部分を収集するように設計される。更に、レンズ１３０は、小型化及び共振器結合の改善のため、１から１００の波長範囲内で小さな平行化ビーム直径をもたらすように設計される。
【０２９２】
より小さな絞りは、平行化ビームに対してより大きな角度の広がりをもたらすが、外部キャビティ１１において、このことは、自由空間キャビティ１１の相当に短い長さ、即ち、１ｍｍから２０ｍｍの長さのために、比較的大きな程度まで許容できる。
【０２９３】
実際、外部キャビティ１１の自由空間部分は、例外的に短く、光が進行する最大距離は、平行化レンズ１３０及びビーム・スプリッタ１４内に含まれる。両構成要素は、平行化光の角度の広がりをかなり低減する高屈折率材料から作製される。
【０２９４】
特に、平行化レンズ１３０は、その平面１３１に対して０．３ｍｍ未満の作動距離、空気中で０．７よりも大きい開口数、３ｍｍ未満の開口部、３ｍｍ未満の厚さを有し、両面、即ち、平面１３１及び凸面１３２をＡＲコーティングでコーティングされる。
【０２９５】
代替的に、平行化レンズ１３０は、２ｍｍの開口部、３ｍｍの厚さ、及び９μｍの波長で１０分の残留半発散角を有する。
【０２９６】
平行化レンズ１３０の湾曲外形は、式
2021516446.tif 000008
を特徴とする回転対称凸形非球面によって説明でき、式中、ｚは垂下距離であり、ｒは光軸からの距離であり、パラメータＲ＝−２．４５０は、曲率であり、ｋ＝−１７４２は円錐定数である。
【０２９７】
エタロン１１０
エタロン１１０は、モード・スプレッダ又は周波数標準とも呼ばれ、Ｓｉ、Ｇｅ、カルコゲナイド・ガラス、ＺｎＳｅ、ＺｎＳ等のＭＩＲ透過性材料の均質な固体基体１１５から作製され、面平行で光学的に平坦な（ラムダ／２０より良好な）表面、即ち、第１の面１１１及び第２の面１１２を有する。基体１１５は、エタロン・キャビティ１１３として働き、エタロン１１０の第１の面１１１及び第２の面１１２上の反射層１１４からの反射により、干渉をもたらし、エタロン１１０を通じた波長依存伝送をもたらす。
【０２９８】
反射層１１４の形態の反射向上コーティングがエタロン１１０の表面１１１、１１２上に配置されない場合、基体１１５は、エタロン・キャビティ１１３としても働き、エタロン１１０の第１の面１１１及び第２の面１１２上のフレネル反射は、干渉をもたらし、エタロン１１０を通じた波長依存伝送をもたらす。更なる反射層１１４がないエタロン１１０は、高屈折率（典型的には２から４．２の間）を有し、表面−周囲境界で高フレネル反射係数をもたらす。
【０２９９】
この例では、エタロン１１０の第１の面１１１及び第２の面１１２は、これらの上に蒸着した反射層１１４、薄膜分散ブラッグ反射器又はサブ波長構造格子等を有する。
【０３００】
対応して、基体の屈折率を低くする（例えば２を下回る）こともできる。
【０３０１】
エタロン１１０は、周波数（又は逆波長）空間内に周期的に繰り返す伝送帯域を呈し、伝送帯域に番号を付ける、即ち、伝送次数を付けることを可能にする。帯域間の周波数空間（又は波長範囲）を自由スペクトル領域（ＦＳＲ）と称する。
【０３０２】
伝送帯域は、ＦＳＲ／Ｆの線幅を有する共振形状を有する。ここで、Ｆとは、フィネスであり、表面反射率Ｒに対して均質に増加する関数である。反射率Ｒが１００％に近づくと、フィネスＦに１００から１０，０００程度の大きな値、及び対応して、相当な狭帯域幅（数ナノメートル）を有する伝送帯域をもたらす。
【０３０３】
エタロン１１０は、波長標準として使用するため、熱安定化でき、伝送帯域に対してかなり良好な波長安定性をもたらす。
【０３０４】
外部キャビティ１１の光路において、エタロン１１０は、光軸３００に対して傾斜様式で配置され、エタロン１１０の第１の面１１１及び第２の面１１２の表面法線が、共振器の光軸３００に平行ではないようにする。この構成により、レーザ共振器に入る、後方反射される帯域外の光の量を低減し、寄生発振をなくす。
【０３０５】
本発明の好ましい実施形態では、エタロンは、微細加工フィルタ内に統合される。このことは、特に、鏡要素の少なくとも１つ、例えば第１の鏡要素の（ファブリ・ペロー・キャビティから離れて面する）裏側の反射防止コーティングを、反射増大コーティングに取り替えることによって行うことができる。それぞれの鏡要素のファブリ・ペロー・フィルタ・キャビティに面する側の反射面層、例えば、ＤＢＲ層構造体は、当技術分野で公知であるように、空気キャビティと基体キャビティとの間の正確な位相整合を考慮し、基体キャビティを対称にするように変更できる。
【０３０６】
別の実施形態では、鏡要素の少なくとも１つ、例えば、第１の鏡要素の裏側の反射防止コーティングを単に省き、代わりに、フレネル反射を使用する。この場合、それぞれの鏡要素のキャビティに面する側の反射面層、例えば、ＤＢＲ層構造体は、空気キャビティと基体キャビティとの間の正確な位相整合を考慮するように変更できる。
【０３０７】
別の実施形態では、エタロンは、上記で説明したもののような、微細作動されるエアギャップ・ファブリ・ペロー・フィルタから作製できるが、他の実施形態では、エタロンのように高いキャビティ次数で動作される。このことにより、十分に規定された周波数標準を失うことを犠牲にして、連続的な高速同調を再導入する。この場合、波長の繰返し性は、波長選択可能干渉フィルタの中心波長の繰返し性によって制限される。
【０３０８】
エタロン１１０は、熱光学効果を通じて基体１１５の屈折率を変更する加熱器（図示せず）を備えることが可能である。このことにより、各伝送ピークの位置及びＦＳＲの位置も変更する。熱光学係数は、相当に小さい、例えば、シリコンの場合、室温で２×１０−４／Ｋであるが、各個の伝送ピークの同調範囲は、より厚い基体１１５の選択により、隣接するモードを近くに置くことによって重複させることができる。
【０３０９】
例えば、５０Ｋの温度範囲内で、光学的厚さは約１％変化し、＞１００程度のフィルタを必要とし、９μｍでは、約１３０μｍのシリコン・エタロン１１０の厚さに対応する。このことは、主に、連続同調機能を可能にするが、大きな温度範囲及び高速熱変動を必要とし、コーティングに大きな応力を生じさせる。温度範囲を低減すると、必要な厚さを増大させ、より大きな同調時定数をもたらす。
【０３１０】
図１０ａ〜図１０ｅは、最大の堅牢さのために単一構成要素から作製した後方反射ビーム・スプリッタ１４、又は柔軟性を追加するために２つの構成要素から作製した後方反射ビーム・スプリッタ１４のいくつかの実施形態を示す。破線は、ビーム・スプリッタ１４の中を進行する光を示す。
【０３１１】
図１０ａは、モノリシック・ビーム・スプリッタ１４を示し、モノリシック・ビーム・スプリッタ１４は、ＭＩＲ範囲で透過性であり、例えば、Ｓｉ、Ｇｅ、カルコゲナイド・ガラス、ＺｎＳｅ、ＺｎＳを含む。図示のビーム・スプリッタ１４は、キャッツアイ型ビーム・スプリッタであり、非球面凸形前面１４２、即ち、キャビティの内側に面する面と、後方平面１４３、即ち、キャビティの外側に面する面とを有する。後方表面法線は、凸形前面１４２の回転軸に平行であり、前面１４２の焦点に交差する。したがって、十分な近軸光線が、光軸３００に対して十分に小さな傾斜にある場合、後方面は、焦点平面１４０Ｆと同一である。光線が近軸要件を満たさない場合、焦点平面１４０Ｆ及び後方面１４３のわずかな逸脱が予期される。
【０３１２】
ビーム・スプリッタ１４の非球面１４２は、特に、小さなペツヴァル曲率を有するように設計される。非球面１４２は、赤外透過性材料（Ｓｉ、Ｇｅ、カルコゲナイド・ガラス、ＺｎＳｅ、ＺｎＳ等）の（平行化レンズ１３０と同様の）厚い、高開口数の非球面平凸レンズ１４１によってもたらされ、平凸レンズ１４１の平面１４３は、上記で詳述した非球面凸面１４２の焦点平面１４０Ｆと同一である。ビーム・スプリッタ１４の凸前面１４２は、ＡＲコーティングを備え、ビーム・スプリッタの平面１４３は、２８％から１００％の間の反射率を有する反射層１４０Ｒを有する。
【０３１３】
ビーム・スプリッタ１４の伝送光は、十分に規定された後方面１４３上の焦点を通過するため、ファイバ結合は、単純な突き合わせ結合を通じて達成することができ、ビーム・スプリッタ１４を部分的に透過性の後方反射ファイバ・カプラにもする。
【０３１４】
ビーム・スプリッタの材料の高い屈折率のため、動作中、機械的な衝撃による意図的でない整合不良により入口ビーム角が変動する状態にもかかわらず、ビーム・スプリッタ１４の焦点が、わずかな距離しか移動しないことがビーム・スプリッタ１４の特定の特徴である。
【０３１５】
図１０ａのビーム・スプリッタ１４は、３．９１９ｍｍの厚さを有し、式
2021516446.tif 000009
を特徴とする、回転対称の凸前面１４２の外形を有し、式中、ｚは垂下距離であり、ｒは光軸からの距離であり、パラメータＲ＝−２．４５０は、曲率であり、ｋ＝−１７４２は円錐定数である。
【０３１６】
図１０ｂは、出力で平行化光を生成するように構成した、後方反射ビーム・スプリッタ１４の一実施形態を示す。ビーム・スプリッタ１４は、２つの構成要素１４１、１４５から作製され、それぞれは、図６ａのビーム・スプリッタ１４と同様である。２つの構成要素１４１は、既に説明したそれぞれの焦点平面１４０Ｆと同一であるそれぞれの平面１４３、１４６で接合される。２つの構成要素１４１、１４５は、同一である必要はないが、異なる厚さ及び表面曲率を有し、両側に異なるビーム直径をもたらし得る。２０％から９０％の間の反射率を有する反射層１４０Ｒは、２つの構成要素１４１、１４５の一致する焦点平面１４０Ｆで、構成要素１４１と１４５との間に位置する。層は、ＤＢＲ、サブ波長構造反射器又は単に金属薄膜等、当技術分野で公知のあらゆる形態を有し得る。
【０３１７】
図１０ｃは、例えば、ファイバ結合目的で、ビーム・スプリッタ１４の外側に伝送光を集束するように構成した、後方反射軸上ビーム・スプリッタ１４の一実施形態を示す。ビーム・スプリッタ１４は、２つの構成要素１４１、１４７を備え、それぞれは、図１０ａのビーム・スプリッタ１４と同様であり、それぞれの平面１４３、１４８で接合される。第２の再集束構成要素１４７は、非球面１４４の焦点距離１４９よりも厚い。したがって、焦点平面は、再集束構成要素１４７内にあり、平行化ではなく、再集束構成要素１４７の外側の点までの集束をもたらす。言い換えれば、第１の構成要素１４１の焦点平面は、第２の構成要素１４７の対物平面と同一である。２０％から９００％の間の反射率を有する反射層１４０Ｒは、第１の構成要素及び／又は第２の構成要素１４７の平面１４３、１４８に位置する。層１４０Ｒは、ＤＢＲ、サブ波長構造反射器又は単純な金属薄膜等、当技術分野で公知のあらゆる形態を有し得る。
【０３１８】
図１０ｄは、図６ｂの実施形態と同様のビーム・スプリッタの一実施形態を示すが、間隙１５２が、２つの構成要素１４１、１５０の平面１４３と１５１との間にある、即ち、平面１４３、１５１が接触しないという差を有する。第２の構成要素１５０、即ち、出た光ビームを平行化する構成要素は、厚い高開口数の非球面平行化レンズであり、その焦点平面が第１の構成要素１４１の焦点平面１４０Ｆと同一であるように配置される。このレンズは、レンズ１３０と同一又は同様であり得る。レンズは、適切な反射防止コーティングでコーティングされる。
【０３１９】
図１０ｅは、図１０ｃの実施形態と同様のビーム・スプリッタ１４の一実施形態を示すが、間隙１５３が、２つの構成要素１４１、１５５の平面１４３と１５４との間に位置する、即ち、平面が接触しないという差を有する。第２の構成要素１５５、即ち、厚い高開口数の非球面集束レンズは、その対物平面が第１の構成要素１４１の焦点平面１４０Ｆと同一であるように配置される。この再集束レンズは、レンズ１３０と同一又は同様であり得る。波面誤差を回避するため、凸面１５６は、所望の対物及び像平面にモデル化できる。レンズは、適切な反射防止コーティングでコーティングされる。本実施形態は、ビーム・スプリッタ１４に対してより短時間の設計を可能にする。
【図１ａ】
2021516446.tif 000010
【図１ｂ】
2021516446.tif 000011
【図１ｃ】
2021516446.tif 000012
【図１ｄ】
2021516446.tif 000013
【図２ａ】
2021516446.tif 000014
【図２ｂ】
2021516446.tif 000015
【図３ａ】
2021516446.tif 000016
【図３ｂ】
2021516446.tif 000017
【図４】
2021516446.tif 000018
【図５ａ】
2021516446.tif 000019
【図５ｂ】
2021516446.tif 000020
【図６ａ】
2021516446.tif 000021
【図６ｂ】
2021516446.tif 000022
【図７ａ】
2021516446.tif 000023
【図７ｂ】
2021516446.tif 000024
【図８ａ】
2021516446.tif 000025
【図８ｂ】
2021516446.tif 000026
【図９ａ】
2021516446.tif 000027
【図９ｂ】
2021516446.tif 000028
【図１０ａ】
2021516446.tif 000029
【図１０ｂ】
2021516446.tif 000030
【図１０ｃ】
2021516446.tif 000031
【図１０ｄ】
2021516446.tif 000032
【図１０ｅ】
2021516446.tif 000033
【国際調査報告】
2021516446.tif 000034
2021516446.tif 000035
2021516446.tif 000036